(57)【要約】      （修正有）【課題】基本シーケンスの循環シフトを使用して基準信号およびデータを送信するための方法を提供する。【解決手段】時間領域基本シーケンス生成器４１０は周波数領域基本シーケンス生成器４１２にて周波数領域基本シーケンスＲ（ｋ）を生成し、Ｍ点ＩＤＦＴ（Ｍ点逆離散フーリエ変換）４１４にて時間領域基本シーケンスｒ（ｎ）を生成する。加算器４２４は乗算器４２２ａ〜４２２ｍによる循環シフタ４２０の直交シーケンスｒ０（ｎ）〜ｒＭ−１（ｎ）と変調シンボルｓ（ｍ）の乗算結果を合算し変調サンプルＸ（ｎ）を出力する。シンボル−副搬送波マッパ４３４はＭ点ＤＦＴ（Ｍ点離散フーリエ変換）４３２のＤＦＴ結果をＭ個の副搬送波にマッピングする。循環プレフィックス生成器４３８はＮＦＦＴ点ＩＦＦＴ（Ｎ点逆高速フーリエ変換）４３６の時間領域出力サンプルｙ（ｎ）を用いてＳＣ−ＦＤＭＡ（シングルキャリア周波数分割多元接続）シンボルを生成する。【選択図】図４
2016103838.tif 000002
【特許請求の範囲】
【請求項１】
ワイヤレス通信のための方法において、
基本シーケンスの少なくとも１つの循環シフトを使用して、割り当てられたリソース上で、少なくとも１つの基準信号を送信することと、
前記基本シーケンスの少なくとも１つの他の循環シフトを使用して、前記割り当てられたリソース上で、データを送信することとを含む方法。
【請求項２】
送信のためにユーザ機器（ＵＥ）に割り当てられた１組の副搬送波を決定することであって、前記割り当てられたリソースが、シンボル期間において前記１組の副搬送波に対応する、決定することをさらに含む請求項１記載の方法。
【請求項３】
前記少なくとも１つの基準信号を送信することと前記データを送信することが、
前記少なくとも１つの基準信号と前記データとに対する変調シンボルを変換して、周波数領域シンボルを獲得することと、
前記基本シーケンスに対する参照シンボルに前記周波数領域シンボルを乗算して、変調されたシンボルを獲得することと、
前記変調されたシンボルを、送信のために割り当てられた前記１組の副搬送波にマッピングすることと、
送信前記マッピングされたシンボルを変換して、前記シンボル期間中の送信のための時間領域出力サンプルを獲得することとを含む請求項２記載の方法。
【請求項４】
前記少なくとも１つの基準信号を送信することが、前記基本シーケンスの少なくとも１つの循環シフトの各々を、基準信号に対する既知の変調シンボルにより変調することを含み、前記データ送信することが、前記基本シーケンスの少なくとも１つの他の循環シフトの各々を、データ変調シンボルにより変調することを含む請求項１記載の方法。
【請求項５】
前記少なくとも１つの基準信号を送信することが、前記基本シーケンスの単一の循環シフトを使用して、単一の基準信号を送信することを含み、前記データ送信することが、前記基本シーケンスの複数の循環シフトを使用して、複数のデータ変調シンボルを送信することを含む請求項１記載の方法。
【請求項６】
前記少なくとも１つの基準信号を送信することが、前記基本シーケンスの複数の循環シフトを使用して、複数の基準信号を送信することを含み、送信アンテナ毎に１つの基準信号であり、各基準信号が、前記基本シーケンスの異なる循環シフトを使用して送信される請求項１記載の方法。
【請求項７】
前記ＵＥに割り当てられた１組の循環シフトを決定することであって、前記１組の循環シフトが、送信のために割り当てられた前記１組の副搬送波で利用可能な、すべての循環シフトのサブセットを含み、残りの利用可能な循環シフトの少なくともサブセットが、少なくとも１つの他のＵＥに割り当てられる、決定することと、
前記ＵＥに割り当てられた前記１組の循環シフトから、前記少なくとも１つの基準信号に対する前記少なくとも１つの循環シフトと前記データに対する前記少なくとも１つの他の循環シフトとを決定することとをさらに含む請求項２記載の方法。
【請求項８】
前記少なくとも１つの基準信号に対する前記少なくとも１つの循環シフトが、少なくとも１つのガード領域によって、前記データに対する前記少なくとも１つの他の循環シフトから分離され、各ガード領域が、１つ以上の循環シフトを含む請求項１記載の方法。
【請求項９】
前記複数の基準信号に対する前記複数の循環シフトが、１つ以上の循環シフトによって、互いに分離される請求項６記載の方法。
【請求項１０】
前記少なくとも１つの基準信号に対して使用される前記少なくとも１つの循環シフトにより高い利得を適用して、データに対して使用される各循環シフトに関して、基準信号に対して使用される各循環シフトに対してより高い送信電力を獲得することをさらに含む請求項１記載の方法。
【請求項１１】
前記少なくとも１つの基準信号に対して使用する前記少なくとも１つの循環シフト、または前記データに対して使用する前記少なくとも１つの他の循環シフト、または両方を示すシグナリングを受信することをさらに含む請求項１記載の方法。
【請求項１２】
前記基本シーケンスが、ＣＡＺＡＣ（一定振幅ゼロ自己相関）シーケンスを含む請求項１記載の方法。
【請求項１３】
前記基本シーケンスが、ザドフ−チューシーケンスを含む請求項１記載の方法。
【請求項１４】
ワイヤレス通信のための装置において、
基本シーケンスの少なくとも１つの循環シフトを使用して、割り当てられたリソース上で、少なくとも１つの基準信号を送信する手段と、
前記基本シーケンスの少なくとも１つの他の循環シフトを使用して、前記割り当てられたリソース上で、データを送信する手段とを具備する装置。
【請求項１５】
前記少なくとも１つの基準信号を送信する手段と前記データを送信する手段が、
前記少なくとも１つの基準信号と前記データとに対する変調シンボルを変換して、周波数領域シンボルを獲得する手段と、
前記基本シーケンスに対する参照シンボルに前記周波数領域シンボルを乗算して、変調されたシンボルを獲得する手段と、
前記変調されたシンボルを、送信のために割り当てられた前記１組の副搬送波にマッピングする手段であって、前記割り当てられたリソースが、シンボル期間において前記１組の副搬送波に対応する、マッピングする手段と、
送信前記マッピングされたシンボルを変換して、前記シンボル期間中の送信のための時間領域出力サンプルを獲得する手段とを備える請求項１４記載の装置。
【請求項１６】
前記少なくとも１つの基準信号を送信する手段が、前記基本シーケンスの少なくとも１つの循環シフトの各々を、基準信号に対する既知の変調シンボルにより変調する手段を備え、前記データ送信する手段が、前記基本シーケンスの少なくとも１つの他の循環シフトの各々を、データ変調シンボルにより変調する手段を備える請求項１４記載の装置。
【請求項１７】
前記少なくとも１つの基準信号を送信する手段が、前記基本シーケンスの単一の循環シフトを使用して、単一の基準信号を送信する手段を備え、前記データ送信する手段が、前記基本シーケンスの複数の循環シフトを使用して、複数のデータ変調シンボルを送信する手段を備える請求項１４記載の装置。
【請求項１８】
前記少なくとも１つの基準信号を送信する手段が、前記基本シーケンスの複数の循環シフトを使用して、複数の基準信号を送信する手段を備え、送信アンテナ毎に１つの基準信号であり、各基準信号が、前記基本シーケンスの異なる循環シフトを使用して送信される請求項１４記載の装置。
【請求項１９】
送信のためにユーザ機器（ＵＥ）に割り当てられた１組の副搬送波を決定する手段であって、前記割り当てられたリソースが、シンボル期間において前記１組の副搬送波に対応する、決定する手段と、
前記ＵＥに割り当てられた１組の循環シフトを決定する手段であって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定する手段と、
前記ＵＥに割り当てられた前記１組の循環シフトから、前記少なくとも１つの基準信号に対する前記少なくとも１つの循環シフトと前記データに対する前記少なくとも１つの他の循環シフトとを決定する手段とをさらに具備する請求項１４記載の装置。
【請求項２０】
ワイヤレス通信のための装置において、
基本シーケンスの少なくとも１つの循環シフトを使用して、割り当てられたリソース上で、少なくとも１つの基準信号を送信し、前記基本シーケンスの少なくとも１つの他の循環シフトを使用して、前記割り当てられたリソース上で、データを送信するように構成されている少なくとも１つのプロセッサを具備する装置。
【請求項２１】
前記少なくとも１つのプロセッサが、
前記少なくとも１つの基準信号と前記データとに対する変調シンボルを変換して、周波数領域シンボルを獲得することと、
前記基本シーケンスに対する参照シンボルに前記周波数領域シンボルを乗算して、変調されたシンボルを獲得することと、
前記変調されたシンボルを、送信のために割り当てられた前記１組の副搬送波にマッピングすることであって、前記割り当てられたリソースが、シンボル期間において前記１組の副搬送波に対応する、マッピングすることと、
送信前記マッピングされたシンボルを変換して、前記シンボル期間中の送信のための時間領域出力サンプルを獲得することとを実行するように構成されている請求項２０記載の装置。
【請求項２２】
前記少なくとも１つのプロセッサが、前記基本シーケンスの少なくとも１つの循環シフトの各々を、基準信号に対する既知の変調シンボルにより変調し、前記基本シーケンスの少なくとも１つの他の循環シフトの各々を、データ変調シンボルにより変調するように構成されている請求項２０記載の装置。
【請求項２３】
前記少なくとも１つのプロセッサが、前記基本シーケンスの単一の循環シフトを使用して、単一の基準信号を送信し、前記基本シーケンスの複数の循環シフトを使用して、複数のデータ変調シンボルを送信するように構成されている請求項２０記載の装置。
【請求項２４】
前記少なくとも１つのプロセッサが、前記基本シーケンスの複数の循環シフトを使用して、複数の基準信号を送信し、送信アンテナ毎に１つの基準信号であり、各基準信号が、前記基本シーケンスの異なる循環シフトを使用して送信されるように構成されている請求項２０記載の装置。
【請求項２５】
前記少なくとも１つのプロセッサが、送信のためにユーザ機器（ＵＥ）に割り当てられた１組の副搬送波を決定することあって、前記割り当てられたリソースが、シンボル期間において前記１組の副搬送波に対応する、決定することと、前記ＵＥに割り当てられた１組の循環シフトを決定することであって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定することと、前記ＵＥに割り当てられた前記１組の循環シフトから、前記少なくとも１つの基準信号に対する前記少なくとも１つの循環シフトと前記データに対する前記少なくとも１つの他の循環シフトを決定することとを実行するように構成されている請求項２０記載の装置。
【請求項２６】
コンピュータプログラム製品において、
少なくとも１つのコンピュータに、基本シーケンスの少なくとも１つの循環シフトを使用して、割り当てられたリソース上で、少なくとも１つの基準信号を送信させるためのコードと、
前記少なくとも１つのコンピュータに、前記基本シーケンスの少なくとも１つの他の循環シフトを使用して、前記割り当てられたリソース上で、データを送信させるためのコードとを含むコンピュータ読取可能媒体を具備するコンピュータプログラム製品。
【請求項２７】
ワイヤレス通信のための方法において、
基本シーケンスの少なくとも１つの循環シフトを使用して、割り当てられたリソース上で、ユーザ機器（ＵＥ）によって送信された少なくとも１つの基準信号を受信することと、
前記基本シーケンスの少なくとも１つの他の循環シフトを使用して、前記割り当てられたリソース上で、前記ＵＥによって送信されたデータを受信することとを含む方法。
【請求項２８】
送信のために前記ＵＥに割り当てられた１組の副搬送波を決定することであって、前記割り当てられたリソースが、シンボル期間において前記１組の副搬送波に対応する、決定することをさらに含む請求項２７記載の装置。
【請求項２９】
前記少なくとも１つの基準信号を受信することと前記データを受信することが、
前記シンボル期間中の受信サンプルを周波数領域に変換して、受信シンボルを獲得することと、
送信のために割り当てられた前記１組の副搬送波に対する受信シンボルを抽出することと、
前記抽出されたシンボルに前記基本シーケンスから導出されたシンボルを乗算して、入力シンボルを獲得することと、
前記入力シンボルを時間領域に変換して、入力サンプルを獲得することと、
前記入力サンプルの第１のサブセットに基づいて、チャネル推定値を導出することと、
前記チャネル推定値を用いて、前記入力サンプルの第２のサブセットに対してデータ復調を実行して、前記ＵＥによって送信された前記データに対する検出されたシンボルを獲得することとを含む請求項２８記載の装置。
【請求項３０】
前記少なくとも１つの基準信号を受信することが、前記基本シーケンスの単一の循環シフトを使用して、前記ＵＥによって送信された単一の基準信号を受信することを含み、前記データを受信することが、前記基本シーケンスの複数の循環シフトを使用して、前記ＵＥによって送信された複数のデータ変調シンボルを受信することを含む請求項２７記載の方法。
【請求項３１】
前記少なくとも１つの基準信号を受信することが、前記基本シーケンスの複数の循環シフトを使用して、前記ＵＥによって送信された複数の基準信号を受信し、前記ＵＥの送信アンテナ毎に１つの基準信号であり、各基準信号が、前記基本シーケンスの異なる循環シフトを使用して送信されることを含み、
前記方法が、前記送信アンテナから送信された前記基準信号に基づいて、前記ＵＥの送信アンテナ毎にチャネル推定値を導出することをさらに含む請求項２７記載の方法。
【請求項３２】
前記ＵＥに割り当てられた循環シフトの第１の組を決定することと、
第２のＵＥに割り当てられた循環シフトの第２の組を決定することであって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを含む、決定することと、
循環シフトの前記第１の組を使用して、前記ＵＥによって送信された前記少なくとも１つの基準信号および前記データを受信することと、
循環シフトの前記第２の組を使用して、前記第２のＵＥによって送信された少なくとも１つの基準信号のみを、または少なくとも１つの基準信号およびデータの両方を受信することとをさらに含む請求項２８記載の方法。
【請求項３３】
前記少なくとも１つの基準信号に対して使用する前記少なくとも１つの循環シフト、または、前記データに対して使用する前記少なくとも１つの他の循環シフト、または、両方を示すシグナリングをＵＥに送信することをさらに含む請求項２７記載の方法。
【請求項３４】
ワイヤレス通信のための装置において、
基本シーケンスの少なくとも１つの循環シフトを使用して、割り当てられたリソース上で、ユーザ機器（ＵＥ）によって送信された少なくとも１つの基準信号を受信する手段と、
前記基本シーケンスの少なくとも１つの他の循環シフトを使用して、前記割り当てられたリソース上で、前記ＵＥによって送信されたデータを受信する手段とを具備する装置。
【請求項３５】
前記少なくとも１つの基準信号を受信する手段と前記データを受信する手段が、
シンボル期間中の受信サンプルを周波数領域に変換して、受信シンボルを獲得する手段と、
送信のために前記ＵＥに割り当てられた１組の副搬送波に対する受信シンボルを抽出する手段であって、前記割り当てられたリソースが、前記シンボル期間において前記１組の副搬送波に対応する、抽出する手段と、
前記抽出されたシンボルに前記基本シーケンスから導出されたシンボルを乗算して、入力シンボルを獲得する手段と、
前記入力シンボルを時間領域に変換して、入力サンプルを獲得する手段と、
前記入力サンプルの第１のサブセットに基づいて、チャネル推定値を導出する手段と、
前記チャネル推定値を用いて、前記入力サンプルの第２のサブセットに対してデータ復調を実行して、前記ＵＥによって送信された前記データに対する検出されたシンボルを獲得する手段とを備える請求項３４記載の装置。
【請求項３６】
前記少なくとも１つの基準信号を受信する手段が、前記基本シーケンスの単一の循環シフトを使用して、前記ＵＥによって送信された単一の基準信号を受信する手段を備え、前記データを受信する手段が、前記基本シーケンスの複数の循環シフトを使用して、前記ＵＥによって送信された複数のデータ変調シンボルを受信する手段を備える請求項３４記載の装置。
【請求項３７】
前記少なくとも１つの基準信号を受信する手段が、前記基本シーケンスの複数の循環シフトを使用して、前記ＵＥの送信アンテナ毎に１つの基準信号となる、前記ＵＥによって送信された複数の基準信号を受信する手段であって、各基準信号が、前記基本シーケンスの異なる循環シフトを使用して送信される、受信する手段を備え、
前記装置が、前記送信アンテナから送信された前記基準信号に基づいて、前記ＵＥの送信アンテナ毎にチャネル推定値を導出する手段をさらに具備する請求項３４記載の装置。
【請求項３８】
送信のために前記ＵＥに割り当てられた１組の副搬送波を決定する手段であって、前記割り当てられたリソースが、シンボル期間において前記１組の副搬送波に対応する、決定する手段と、
前記ＵＥに割り当てられた循環シフトの第１の組を決定する手段と、
第２のＵＥに割り当てられた循環シフトの第２の組を決定する手段であって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定する手段と、
循環シフトの前記第１の組を使用して、前記ＵＥによって送信された前記少なくとも１つの基準信号および前記データを受信する手段と、
循環シフトの前記第２の組を使用して、前記第２のＵＥによって送信された少なくとも１つの基準信号のみを、または少なくとも１つの基準信号およびデータを受信する手段とをさらに具備する請求項３４記載の装置。
【発明の詳細な説明】
【技術分野】
【０００１】
本開示は、一般に、通信に関し、より詳細には、ワイヤレス通信方式において基準信号およびデータを送信するための技法に関する。
【背景技術】
【０００２】
本出願は、本出願の譲受人に譲渡され、本明細書に参照により組み込まれる、２００８年９月２３日に出願された、「ＥＦＦＩＣＩＥＮＴ  ＭＵＴＩＰＬＥＸＩＮＧ  ＯＦ  ＲＥＦＥＲＥＮＣＥ  ＳＩＧＮＡＬ  ＡＮＤ  ＤＡＴＡ  ＩＮ  ＴＨＥ  ＬＴＥ  ＵＰＬＩＮＫ」と題する、米国仮出願第６１／０９９４０７号の優先権を主張する。
【０００３】
ワイヤレス通信方式は、音声、ビデオ、パケットデータ、メッセージング、放送など、様々な通信コンテンツを提供するために広く配備されている。これらのワイヤレス方式は、利用可能なシステムリソースを共用することによって、複数のユーザをサポートすることが可能な、多元接続方式とすることができる。そのような多元接続方式の例は、符号分割多元接続（ＣＤＭＡ）方式、時分割多元接続（ＴＤＭＡ）方式、周波数分割多元接続（ＦＤＭＡ）方式、直交ＦＤＭＡ（ＯＦＤＭＡ）方式、およびシングルキャリヤＦＤＭＡ（ＳＣ−ＦＤＭＡ）方式を含む。
【０００４】
ワイヤレス通信方式は、多くのユーザ機器（ＵＥ）のために通信をサポートすることができる、多くの基地局を含むことができる。ＵＥは、ダウンリンクおよびアップリンクを介して、基地局と通信することができる。ダウンリンク（または順方向リンク）は、基地局からＵＥへの通信リンクのことを指し、アップリンク（または逆方向リンク）は、ＵＥから基地局への通信リンクのことを指す。ＵＥは、基準信号およびデータを基地局に送信することができる。基準信号は、チャネル推定および／または他の目的で使用することができる。基準信号は、有用なこともあるが、送信するためにリソースを消費する。リソース利用を改善するために、基準信号およびデータをできるだけ効率的に送信できれば望ましいことがある。
【発明の概要】
【０００５】
基本シーケンス（base sequence）の循環シフト（cyclic shift）を使用して基準信号およびデータを送信するための技法が、本明細書で説明される。基本シーケンスは、良好な相関特性を有するように選択することができる。基本シーケンスの異なる循環シフトは、互いに直交することができ、基準信号およびデータを同じリソース上で送信するために使用することができる。技法は、基準信号だけを送信するＵＥとのバックワード互換性を維持しながら、リソース利用を改善することができる。
【０００６】
１つの設計では、ＵＥは、送信のためにＵＥに割り当てられる１組の副搬送波を決定することができる。ＵＥは、基本シーケンスの少なくとも１つの循環シフトを使用して、割り当てられたリソース上で、少なくとも１つの基準信号を送信することができる。割り当てられたリソースは、１つのシンボル期間中の１組の副搬送波に対応することができる。ＵＥは、基本シーケンスの少なくとも１つの他の循環シフトを使用して、割り当てられたリソース上で、データを送信することができる。データは、トラフィックデータ、制御データ、他の何らかのデータもしくは情報、またはそれらの任意の組み合わせを備えることができる。ＵＥは、様々な方法で、少なくとも１つの基準信号およびデータを送信することができる。１つの設計では、ＵＥは、基本シーケンスの単一の循環シフトを使用して、単一の基準信号を送信することができる。別の設計では、ＵＥは、基本シーケンスの複数の循環シフトを使用して、複数の基準信号を送信することが、例えば、ＵＥの送信アンテナ毎に１つの基準信号を送信することができる。基準信号毎に、ＵＥは、その基準信号のための既知の変調シンボルを用いて、基本シーケンスの循環シフトを変調することができる。ＵＥは、基本シーケンスの他の循環シフトを使用して、データのための変調シンボルを送信することができる。ＵＥは、データ変調シンボルを用いて、データのために使用される基本シーケンスの各循環シフトを変調することができる。
【０００７】
１つの設計では、少なくとも１つの基準信号のための少なくとも１つの循環シフトは、データのための少なくとも１つの他の循環シフトから、少なくとも１つのガード領域（guard region）によって分離することができる。各ガード領域は、１つ以上の循環シフトを含むことができる。ＵＥが複数の基準信号を送信する場合、基準信号のための循環シフトは、１つ以上の循環シフトによって互いに分離することができる。ガード領域は、ワイヤレスチャネルに遅延拡散（delay spread）が存在する場合に、検出性能を改善することができる。
【０００８】
１つの設計では、単一のＵＥが、１組の副搬送波上で、少なくとも１つの基準信号およびデータを送信することができる。別の設計では、複数のＵＥが、同じ１組の副搬送波上で、基準信号およびデータを送信することができる。各ＵＥには、異なる１組の循環シフトを割り当てることができ、その１組の循環シフトは、１組の副搬送波で利用可能な、すべての循環シフトのサブセットとすることができる。各ＵＥは、それに割り当てられた１組の循環シフトを使用して、少なくとも１つの基準信号と、場合によってはデータも送信することができる。
【０００９】
本開示の様々な態様および特徴が、以下でさらに詳細に説明される。
【図面の簡単な説明】
【００１０】
【図１】ワイヤレス通信方式を示す図。
【図２】例示的な送信構造を示す図。
【図３】基本シーケンスおよび基本シーケンスの循環シフトを示す図。
【図４】送信機の１つの設計を示す図。
【図５】送信機の１つの設計を示す図。
【図６Ａ】１つの例示的な多重化フォーマットを示す図。
【図６Ｂ】１つの例示的な多重化フォーマットを示す図。
【図６Ｃ】１つの例示的な多重化フォーマットを示す図。
【図７】受信機の設計を示す図。
【図８】基準信号およびデータを送信するためのプロセスを示す図。
【図９】基本シーケンスの循環シフトを変調するためのプロセスを示す図。
【図１０】基準信号およびデータを送信するための装置を示す図。
【図１１】基準信号およびデータを受信するためのプロセスを示す図。
【図１２】基本シーケンスの循環シフトを復調するためのプロセスを示す図。
【図１３】基準信号およびデータを受信するための装置を示す図。
【図１４】基地局およびＵＥのブロック図。
【発明を実施するための形態】
【００１１】
本明細書で説明される技法は、ＣＤＭＡ、ＴＤＭＡ、ＦＤＭＡ、ＯＦＤＭＡ、ＳＣ−ＦＤＭＡ、および他の方式など、様々なワイヤレス通信方式のために使用することができる。「方式」および「ネットワーク」という用語は、しばしば交換可能に使用される。ＣＤＭＡ方式は、ユニバーサル地上無線アクセス（ＵＴＲＡ：Universal Terrestrial Radio Access）、ｃｄｍａ２０００などの、無線技術を実施することができる。ＵＴＲＡは、広帯域ＣＤＭＡ（ＷＣＤＭＡ（登録商標））およびＣＤＭＡの他のバリエーションを含む。ｃｄｍａ２０００は、ＩＳ−２０００、ＩＳ−９５、およびＩＳ−８５６規格をカバーする。ＴＤＭＡ方式は、移動体通信用グローバルシステム（ＧＳＭ（登録商標）：Global System for Mobile Communications）などの、無線技術を実施することができる。ＯＦＤＭＡ方式は、進化型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの、無線技術を実施することができる。ＵＴＲＡおよびＥ−ＵＴＲＡは、ユニバーサル移動体通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ）は、Ｅ−ＵＴＲＡを使用するＵＭＴＳの新リリースであり、Ｅ−ＵＴＲＡは、ダウンリンク上ではＯＦＤＭＡを、アップリンク上ではＳＣ−ＦＤＭＡを利用する。ＵＴＲＡ、Ｅ−ＵＴＲＡ、ＵＭＴＳ、ＬＴＥ、ＬＴＥ−Ａ、およびＧＳＭは、「第３世代パートナシッププロジェクト」（３ＧＰＰ）という名称の組織が発行する文書で説明されている。ｃｄｍａ２０００およびＵＭＢは、「第３世代パートナシッププロジェクト２」（３ＧＰＰ２）という名称の組織が発行する文書で説明されている。本明細書で説明される技法は、上で言及された方式および無線技術に加えて、他の方式および無線技術のためにも使用することができる。明瞭にするため、以下では、技法のいくつかの態様がＬＴＥに関して説明され、以下の説明の多くでは、ＬＴＥという用語が使用される。
【００１２】
図１は、ワイヤレス通信方式１００を示しており、ワイヤレス通信方式１００は、ＬＴＥ方式または他の何らかの方式とすることができる。方式１００は、多くの進化型ノードＢ（ｅＮＢ）１１０と、他のネットワークエンティティを含むことができる。ｅＮＢは、ＵＥと通信する局とすることができ、基地局、ノードＢ、アクセスポイントなどと呼ばれることもある。ＵＥ  １２０は、方式全体に分散することができ、各ＵＥは、固定された状態でも、または移動可能でもよい。ＵＥは、移動局、端末、アクセス端末、加入者ユニット、局などと呼ばれることもある。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などとすることができる。
【００１３】
ＬＴＥは、ダウンリンク上では直交周波数分割多重（ＯＦＤＭ）を、アップリンク上ではシングルキャリヤ周波数分割多重（ＳＣ−ＦＤＭ）を利用する。ＯＦＤＭおよびＳＣ−ＦＤＭは、周波数範囲を複数（ＮFFT）個の直交副搬送波に区分し、その直交副搬送波は一般に、トーン、ビンなどと呼ばれる。方式の帯域幅は、ＮFFT個の副搬送波全体のサブセットに対応することができ、残りの副搬送波は、他の方式のために予約すること、または方式間のガード帯域として使用することができる。各副搬送波は、データを用いて変調することができる。一般に、変調シンボルは、ＯＦＤＭを用いる場合は周波数領域において、ＳＣ−ＦＤＭを用いる場合は時間領域において送信される。隣接する副搬送波間の間隔は、固定することができ、副搬送波の総数（ＮFFT）は、方式の帯域幅に依存することができる。例えば、ＮFFTは、１．２５ＭＨｚ、２．５ＭＨｚ、５ＭＨｚ、１０ＭＨｚ、または２０ＭＨｚの方式の帯域幅の場合、それぞれ１２８、２５６、５１２、１０２４、または２０４８に等しくすることができる。
【００１４】
図２は、アップリンクのために使用できる送信構造２００を示している。送信タイムラインは、サブフレームの単位に区分することができる。各サブフレームは、例えば１ミリ秒（ｍｓ）など、所定の持続時間を有することができ、２つのスロットに区分することができる。各スロットは、Ｑ個のシンボル期間をカバーすることができ、Ｑは、循環プレフィックス（cyclic prefix）の長さに依存することができる。例えば、各スロットは、（図２に示されていない）拡張された循環プレフィックスの場合、Ｑ＝６のシンボル期間を、（図２に示された）通常の循環プレフィックスの場合、Ｑ＝７のシンボル期間をカバーすることができる。多くのリソースブロックを、各スロット内で定義することができる。各リソースブロックは、１つのスロット内で１２個の副搬送波をカバーすることができる。利用可能なリソースブロックを、送信のためにＵＥに割り当てることができる。
【００１５】
図２はまた、１つのサブフレームの２つのスロットにおける、物理アップリンク共用チャネル（ＰＵＳＣＨ：Physical Uplink Shared Channel）上での例示的なアップリンク送信を示している。通常の循環プレフィックスの場合、２つのスロットは、０から１３までのインデックスを有する１４個のシンボル期間を含む。ＵＥには、送信のためにＭ個の副搬送波を割り当てることができ、Ｍは、１２の倍数とすることができ、この数は、１つのリソースブロックのための副搬送波の数である。Ｍ個の割り当てられた副搬送波上でデータを搬送するＳＣ−ＦＤＭＡシンボルは、シンボル期間３および１０以外の各シンボル期間において送信することができる。Ｍ個の割り当てられた副搬送波上で復調基準信号（ＤＭ−ＲＳ）を搬送するＳＣ−ＦＤＭＡシンボルは、シンボル期間３および１０の各々において送信することができる。復調基準信号は、データを搬送するＳＣ−ＦＤＭＡシンボルのチャネル推定およびコヒーレント復調のために、ｅＮＢによって使用することができる。復調基準信号は、基準信号、パイロット、プリアンブル、リファレンス、トレーニングシーケンスなどと呼ばれることもある。
【００１６】
拡張された循環プレフィックスの場合、１つのサブフレーム内の２つのスロットは、０から１１までのインデックスを有する１２個のシンボル期間を含む。Ｍ個の割り当てられた副搬送波上でデータを搬送するＳＣ−ＦＤＭＡシンボルは、シンボル期間２および８以外の各シンボル期間において送信することができる。Ｍ個の割り当てられた副搬送波上で復調基準信号を搬送するＳＣ−ＦＤＭＡシンボルは、シンボル期間２および８の各々において送信することができる。
【００１７】
図２に示されるように、復調基準信号は、各スロットにおいて送信することができ、ＳＣ−ＦＤＭＡシンボル全体を占有することができる。復調基準信号は、通常の循環プレフィックスではオーバヘッドの１４％を占め、拡張された循環プレフィックスではオーバヘッドの１７％を占めることができる。復調基準信号に起因するオーバヘッドを減少させたほうが望ましいことがある。
【００１８】
一態様では、復調基準信号およびデータは、基本シーケンスの異なる循環シフトを使用して、同時に送信することができる。復調基準信号およびデータは、バックワード互換性を維持する方法で、送信することができる。例えば、データと共に送信される復調基準信号は、いかなるデータも伴わずに送信される復調基準信号と同様の方法で生成することができる。さらに、データと共に復調基準信号を送信するＵＥは、同じ１組の副搬送波上で復調基準信号だけを送信する別のＵＥと多重化することができる。復調基準信号とデータの多重化は、参照オーバヘッド、チャネル推定性能、およびデータスループットの間のトレードオフに基づいて、柔軟に実行することができる。
【００１９】
復調基準信号は、良い相関特性を有する基本シーケンスを用いて生成することができる。基本シーケンスは、フラットスペクトル応答ゼロ自己相関を有するＣＡＺＡＣ（一定振幅ゼロ自己相関（constant amplitude zero auto correlation））シーケンスとすることができる。ゼロ自己相関とは、ＣＡＺＡＣシーケンスとそれ自体との相関が、ゼロオフセットにおいて大きい値をもたらし、他のすべてのオフセットにおいて小さい（またはゼロ）値をもたらすことを意味する。ゼロ自己相関特性は、ＣＡＺＡＣシーケンスの正確な検出に有利である。いくつかの例示的なＣＡＺＡＣシーケンスは、ザドフ−チューシーケンス（Zadoff-Chu sequence）、チューシーケンス（Chu sequence）、フランクシーケンス（Frank sequence）、一般化チャープ様（ＧＣＬ）シーケンス（generalized chirp-like sequence）などを含む。
【００２０】
長さＭの周波数領域基本シーケンスは、Ｒ（ｋ）と表すことができる。この基本シーケンスは、長さＭの時間領域基本シーケンスを獲得するために、Ｍ点の逆離散フーリエ変換（ＩＤＦＴ：inverse discrete Fourier transform）を用いて時間領域に変換することができ、長さＭの時間領域基本シーケンスは、ｒ（ｎ）と表すことができる。明瞭にするため、以下の説明の多くでは、周波数領域シーケンスは、大文字および副搬送波インデックスｋで表され（例えばＲ（ｋ））、時間領域シーケンスは、小文字およびサンプルインデックスｎで表される。
【００２１】
Ｍ個の周波数領域直交シーケンスは、以下のように、周波数領域基本シーケンスＲ（ｋ）を異なる量だけ循環的にシフトすることによって生成することができ、
【数１】
2016103838.tif 000003
【００２２】
ここで、Ｒm（ｋ）は、ｍの循環シフトを行った周波数領域直交シーケンスである。式（１）に示されるように、異なる周波数領域直交シーケンスを獲得するために、異なる勾配の位相ランプ（phase ramp）を適用することによって、基本シーケンスＲ（ｋ）を周波数領域において循環的にシフトすることができる。
【００２３】
周波数領域の直交シーケンスは、時間領域直交シーケンスの周波数領域表現である。ＣＡＺＡＣシーケンスの場合、周波数領域直交シーケンスも、周波数領域において良い自己相関を有する。しかし、良い時間領域自己相関を有するすべてのシーケンスに対しては、この特性が一般に成り立たないことがある。
【００２４】
等価的に、Ｍ個の時間領域直交シーケンスは、以下のように、時間領域基本シーケンスｒ（ｎ）を異なる量だけ循環的にシフトすることによって生成することができ、
【数２】
2016103838.tif 000004
【００２５】
ここで、ｒm（ｎ）は、ｍの循環シフトを行った時間領域直交シーケンスであり、「ｍｏｄ」は、剰余演算を表す。時間領域直交シーケンスｒm（ｎ）は、対応する周波数領域直交シーケンスＲm（ｋ）のＩＤＦＴであり、ただし、ｍ＝０，．．．，Ｍ−１である。
【００２６】
図３は、時間領域基本シーケンスｒ（ｎ）と時間領域直交シーケンスｒm（ｎ）を示している。基本シーケンスｒ（ｎ）は、サンプルインデックス０からＭ−１にそれぞれ対応する、Ｍ個のサンプルｒ（０）からｒ（Ｍ−１）を含む。直交シーケンスｒm（ｎ）も、同じＭ個のサンプルｒ（０）からｒ（Ｍ−１）を含み、それらは、図３に示されるように、ｍ個のサンプルが循環的にシフトされている。シーケンスｒ（ｎ）とｒm（ｎ）は、互いに直交する。
【００２７】
基本シーケンスｒ（ｎ）のＣＡＺＡＣの特性のため、基本シーケンスのすべての循環シフトが、互いに直交する。したがって、直交シーケンスｒi（ｎ）とｒj（ｎ）は、ｉ≠ｊである任意のｉと任意のｊについて互いに直交する。直交シーケンスは、上で説明したように、復調基準信号およびデータを送信するために使用することができる、
図４は、送信機４００の設計のブロック図を示しており、送信機４００は、同じリソース上で復調基準信号およびデータを送信することが可能である。送信機４００内では、基本シーケンス生成器４１０が、長さＭの時間領域基本シーケンスｒ（ｎ）を生成することができる。生成器４１０内では、基本シーケンス生成器４１２が、例えば、ザドフ−チューシーケンスまたは良好な相関特性を有する他の何らかのシーケンスに基づいて、Ｍ個の参照シンボルを備える周波数領域基本シーケンスＲ（ｋ）を生成することができる。ＩＤＦＴユニット４１４は、生成器４１２から基本シーケンスＲ（ｋ）を受け取り、基本シーケンス内のＭ個の参照シンボル上でＭ点ＩＤＦＴを実行し、Ｍ個のサンプルを備える時間領域基本シーケンスｒ（ｎ）を提供することができる。
【００２８】
循環シフタ４２０は、時間領域基本シーケンスｒ（ｎ）を受け取り、例えば、式（２）に示されるように、長さＭのＭ個の直交シーケンスｒ0（ｎ）からｒM-1（ｎ）を生成することができる。循環シフタ４２０は、Ｍ個の直交シーケンスｒ0（ｎ）からｒM-1（ｎ）を、Ｍ個の乗算器４２２ａから４２２ｍにそれぞれ提供することができる。乗算器４２２ａから４２２ｍは、Ｍ個の変調シンボルｓ（０）からｓ（Ｍ−１）もそれぞれ受けることができる。一般に、変調シンボルは、実数値または複素数値とすることができ、ゼロまたは非ゼロとすることができる。データのための変調シンボルは、データ変調シンボルと呼ばれることがある。変調シンボルｓ（０）からｓ（Ｍ−１）は各々、基準信号のための既知の変調シンボル、データ変調シンボル、またはゼロ値とすることができる。各乗算器４２２は、直交シーケンスｒm（ｎ）内の各サンプルに変調シンボルｓ（ｍ）を乗算することができる。各乗算器４２２は、復調参照シーケンス、データシーケンス、またはゼロのシーケンスを提供することができる。加算器４２４は、変調されたサンプルｘ（ｎ）を獲得するために、各サンプル期間における乗算器４２２ａから４２２ｍからのサンプルを合算することができ、これは、以下のように表すことができる。
【数３】
2016103838.tif 000005
【００２９】
加算器４２４は、単にシンボル期間と呼ばれることがある、１つのＳＣ−ＦＤＭＡシンボル期間において、Ｍ個の変調されたサンプルを提供することができる。
【００３０】
ＳＣ−ＦＤＭＡ変調器４３０は、加算器４２４からのＭ個の変調されたサンプルを用いて、ＳＣ−ＦＤＭＡシンボルを生成することができる。ＳＣ−ＦＤＭＡ変調器４３０内では、離散フーリエ変換（ＤＦＴ：discrete Fourier transform）ユニット４３２が、Ｍ個の変調サンプル上でＭ点ＤＦＴを実行し、Ｍ個の変調シンボルを提供することができる。シンボル−副搬送波マッパ４３４は、Ｍ個の変調シンボルを、送信のために割り当てられたＭ個の副搬送波にマッピングし、ゼロの信号値を有するゼロシンボルを残りの副搬送波にマッピングし、ＮFFT個のマッピングされたシンボルをＮFFT個の副搬送波全体に提供することができる。逆高速フーリエ変換（ＩＦＦＴ：inverse fast Fourier transform）ユニット４３６は、ＮFFT個のマッピングされたシンボル上でＮFFT点ＩＦＦＴを実行し、ＮFFT個の時間領域出力サンプルｙ（ｎ）を提供することができる。循環プレフィックス生成器４３８は、ＮFFT個の出力サンプルの最後のＮCP個のサンプルをコピーし、これらのＮCP個のサンプルをＮFFT個の出力サンプルの前方に追加し、ＮFFT＋ＮCP個の出力サンプルを備えるＳＣ−ＦＤＭＡシンボルを提供することができる。各出力サンプルは、１つのサンプル期間において送信するために、複素数値とすることができる。循環プレフィックスは、周波数選択性フェージング（frequency selective fading）によって引き起こされる符号間干渉（ＩＳＩ：inter-symbol interference）に対抗するために使用することができる。
【００３１】
図５は、送信機５００の設計のブロック図を示しており、送信機５００も、同じリソース上で復調基準信号およびデータを送信することが可能である。送信機５００内では、基本シーケンス生成器５１２が、例えば、ザドフ−チューシーケンスまたは良好な相関特性を有する他の何らかのシーケンスに基づいて、長さＭの周波数領域基本シーケンスＲ（ｋ）を生成することができる。ＤＦＴユニット５１４は、Ｍ個の直交シーケンスと共に送信されるＭ個の変調シンボルｓ（ｍ）、ただし、ｍ＝０，．．．，Ｍ−１を受け取り、Ｍ個の変調シンボル上でＭ点ＤＦＴを実行し、Ｍ個の周波数領域シンボルＳ（ｋ）、ただし、ｍ＝０，．．．，Ｍ−１を提供することができる。乗算器５１６は、基本シーケンス内の参照シンボルＲ（ｋ）と周波数領域シンボルＳ（ｋ）とをシンボル毎に乗算し、Ｘ（ｋ）＝Ｒ（ｋ）・Ｓ（ｋ）である、Ｍ個の変調されたシンボルＸ（ｋ）を提供することができる。
【００３２】
シンボル−副搬送波マッパ５３４は、Ｍ個の変調シンボルを、送信のために割り当てられたＭ個の副搬送波にマッピングし、ゼロシンボルを残りの副搬送波にマッピングし、ＮFFT個のマッピングシンボルをＮFFT個の副搬送波全体に提供することができる。ＩＦＦＴユニット５３６は、ＮFFT個のマッピングシンボル上でＮFFT点ＩＦＦＴを実行し、ＮFFT個の時間領域出力サンプルを提供することができる。循環プレフィックス生成器５３８は、ＮFFT個の出力サンプルに循環プレフィックスを追加し、ＮFFT＋ＮCP個の出力サンプルを備えるＳＣ−ＦＤＭＡシンボルを提供することができる。
【００３３】
図４および図５は、異なる循環シフトの直交シーケンスを用いて復調基準信号およびデータを送信することができる送信機の２つの例示的な設計を示している。直交シーケンスは、他の方法で生成および変調することもできる。
【００３４】
一般に、Ｍ個の直交シーケンスのｒ0（ｎ）からｒM-1（ｎ）は、１つ以上の復調基準信号、データ、および／または他の情報を送信するために使用することができる。１つの設計では、直交シーケンスｒ0（ｎ）は、復調参照シンボルのために使用することができ、残りのＭ−１個の直交シーケンスｒ1（ｎ）からｒM-1（ｎ）は、最大でＭ−１個のデータ変調シンボルを送信するために使用することができる。直交シーケンスｒ0（ｎ）は、復調基準信号のためのｇRSの利得を用いて、例えば、ｓ（０）＝ｇRSを用いてスケーリングすることができる。復調基準信号の送信電力は、ｇRSのための適当な値を選択することによって、データ信号の送信電力に対して（例えばより高く）スケーリングすることができる。残りの各直交シーケンスｒm（ｎ）は、対応するデータ信号ｘm（ｎ）を獲得するために、データ変調シンボルｓ（ｍ）を用いて変調することができる。最大でＭ−１個のデータ変調シンボルは、異なる循環シフトの最大でＭ−１個の直交シーケンスを用いて送信することができる。
【００３５】
Ｍ個の直交シーケンスｒ0（ｎ）からｒM-1（ｎ）は、基本シーケンスのＣＡＺＡＣの特性のために互いに直交しているべきである。しかし、直交性は、ワイヤレスチャネルにおける遅延拡散のために損なわれることがある。遅延拡散は、送信機によって送信された信号のうち受信機に最も早く到達した信号インスタンスと最も遅く到達した信号インスタンスの間の差である。遅延拡散は、時間が経つにつれて直交シーケンスが劣化する原因となることがある。遅延拡散よりも短い時間によって分離された循環シフトを用いる直交シーケンスは、より高い相互相関結果を有することができ、それが、検出性能に悪影響を与えることがある。
【００３６】
遅延拡散に起因する直交性の喪失に対抗するため、復調基準信号のために使用される直交シーケンスは、データのために使用される直交シーケンスからガード領域によって分離することができる。各ガード領域は、復調基準信号の劣化を回避するために、使用されない循環シフトの範囲を含むことができる。
【００３７】
図６Ａは、１つのＵＥのための復調基準信号とデータを多重化する設計を示している。明瞭にするために、図６Ａは、Ｍ＝１２００個の副搬送波がＵＥに割り当てられる例を示しており、ＮFFT個の副搬送波全体は、２０ＭＨｚの帯域幅で利用可能である。１２００個の可能な循環シフトには、０から１１９９までのインデックスが割り当てられる。図６Ａに示される例では、１個の循環シフトｍ＝０からなるブロックは、復調基準信号のために使用され、「Ｐ」で表される。９９個の循環シフトｍ＝１から９９からなるブロックは、第１のガード領域のために使用され、「Ｇ１」で表される。１００１個の循環シフトｍ＝１００から１１００からなるブロックは、データのために使用され、「Ｄ」で表される。９９個の循環シフトｍ＝１１０１から１１９９からなるブロックは、第２のガード領域のために使用され、「Ｇ２」で表される。
【００３８】
ボックス６１０は、異なる循環シフトの１２００個の直交シーケンスのための１２００個の変調シンボルを示している。ゼロの循環シフトを用いる直交シーケンスは、復調基準信号を獲得するために、１（またはｇRS）の値を用いて変調することができる。次の９９個の循環シフトは、未使用とすることができ、それらの直交シーケンスは各々、０を用いて変調することができる。次の１００１個の循環シフトは、データのために使用することができ、それらの直交シーケンスは、１００１個のデータ変調シンボルｄ（０）からｄ（１０００）を用いて変調することができる。各データ変調シンボルは、ＱＰＳＫシンボル、１６−ＱＡＭシンボル、６４−ＱＡＭシンボルなどとすることができる。最後の９９個の循環シフトは、未使用とすることができ、それらの直交シーケンスは各々、０を用いて変調することができる。
【００３９】
図６Ａに示されるように、データ変調シンボルは、データ領域Ｄ内の循環シフト毎に送信することができる。データ変調シンボルは、データ領域内の循環シフトのサブセットで送信することもできる。この場合、データ変調シンボルは、データ領域内の循環シフト間で、できるだけ均等に間隔を空けて配置することができる。例えば、１０１個のデータ変調シンボルは、循環シフト１０個ずつの間隔を空けて配置することができる、循環シフト１００、１１０、１２０、．．．、１１００を用いて送信することができる。これによって、データシーケンス間の干渉を低減することができる。
【００４０】
ガード領域Ｇ１およびＧ２は、データシーケンスから復調基準信号を、また復調基準信号からデータシーケンスを保護することができる。ガード領域Ｇ１およびＧ２は各々、遅延拡散に起因する直交性の喪失に対抗するために、遅延拡散よりも長くすることができる。ガード領域Ｇ１およびＧ２は、等しい長さを有しても、または異なる長さを有してもよい。あまり厳格ではないシステムでは、復調基準信号に起因するデータシーケンスのある程度の劣化が許容できる場合は、第１のガード領域Ｇ１は、省略または短縮することができる。
【００４１】
システムは、空間分割多元接続（ＳＤＭＡ：spatial division multiple access）をサポートすることができる。アップリンク上でのＳＤＭＡの場合、複数のＵＥが、共用リソース上で同時に復調基準信号およびデータをｅＮＢに送信することができる。ｅＮＢは、複数のＵＥによって同時に送信された復調基準信号およびデータを回復するために、受信機処理を実行することができる。これらのＵＥは、その空間互換性（spatial compatibility）のために選択されて、ｅＮＢによってより容易に分離することができる。
【００４２】
ＳＤＭＡの場合、複数のＵＥには、Ｍ個の副搬送波をカバーする同じリソースブロックを割り当てることができる。基本シーケンスのＭ個の循環シフトは、ＵＥへの割り当てに利用可能とすることができる。各ＵＥには、リソースブロックを共用する他のいかなるＵＥにも割り当てられていない循環シフトを含むことができる、異なる１組の循環シフトを割り当てることができる。各ＵＥは、割り当てられた１組の循環シフトを使用して、復調基準信号およびデータを送信することができる。
【００４３】
図６Ｂは、ＳＤＭＡを用いる２つのＵＥのための復調基準信号とデータを多重化する設計を示している。明瞭にするために、図６Ｂは、Ｍ＝１２００個の副搬送波が２つのＵＥに割り当てられる例を示しており、１２００個の可能な循環シフトには、０から１１９９までのインデックスが割り当てられる。第１のＵＥには、前半の６００個の循環シフト０から５９９が割り当てられ、第２のＵＥには、後半の６００個の循環シフト６００から１１９９が割り当てられる。
【００４４】
図６Ｂに示される例では、第１のＵＥの場合、１個の循環シフトｍ＝０からなるブロック（「Ｐ１」）は、復調基準信号のために使用され、９９個の循環シフトｍ＝１から９９からなるブロック（「Ｇ１１」）は、第１のガード領域のために使用され、４０１個の循環シフトｍ＝１００から５００からなるブロック（「Ｄ１」）は、データのために使用され、９９個の循環シフトｍ＝５０１から５９９からなるブロック（「Ｇ１２」）は、第２のガード領域のために使用される。第２のＵＥの場合、１個の循環シフトｍ＝６００からなるブロック（「Ｐ２」）は、復調基準信号のために使用され、９９個の循環シフトｍ＝６０１から６９９からなるブロック（「Ｇ２１」）は、第１のガード領域のために使用され、４０１個の循環シフトｍ＝７００から１１００からなるブロック（「Ｄ２」）は、データのために使用され、９９個の循環シフトｍ＝１１０１から１１９９からなるブロック（「Ｇ２２」）は、第２のガード領域のために使用される。
【００４５】
ボックス６２０は、異なる循環シフトの１２００個の直交シーケンスのための１２００個の変調シンボルを示している。０および６００の循環シフトを用いる２つの直交シーケンスは各々、復調基準信号を獲得するために、１（またはｇRS）の値を用いて変調することができる。循環シフト１００から５００を用いる４０１個の直交シーケンスは、第１のＵＥのために、４０１個のデータ変調シンボルｄ1（０）からｄ1（４００）を用いて変調することができる。循環シフト７００から１１００を用いる４０１個の直交シーケンスは、第２ＵＥのために、４０１個のデータ変調シンボルｄ2（０）からｄ2（４００）を用いて変調することができる。残りの循環シフトは、未使用とすることができ、それらの直交シーケンスは各々、０を用いて変調することができる。
【００４６】
図６Ｃは、ＳＤＭＡを用いる２つのＵＥのための復調基準信号とデータを多重化する別の設計を示している。この例では、２つのＵＥには、Ｍ＝１２００個の副搬送波が割り当てられ、第１のＵＥは、復調基準信号だけを送信し、第２のＵＥは、復調基準信号およびデータを送信する。図６Ｃの例では、第１のＵＥの場合、１個の循環シフトｍ＝０からなるブロック（「Ｐ１」）は、復調基準信号のために使用され、９９個の循環シフトｍ＝１から９９からなるブロック（「Ｇ１１」）は、ガード領域のために使用される。第２のＵＥの場合、１個の循環シフトｍ＝１００からなるブロック（「Ｐ２」）は、復調基準信号のために使用され、９９個の循環シフトｍ＝１０１から１９９からなるブロック（「Ｇ２１」）は、第１のガード領域のために使用され、９０１個の循環シフトｍ＝２００から１１００からなるブロック（「Ｄ」）は、データのために使用され、９９個の循環シフトｍ＝１１０１から１１９９からなるブロック（「Ｇ２２」）は、第２のガード領域のために使用される。ボックス６３０は、異なる循環シフトの１２００個の直交シーケンスのための１２００個の変調シンボルを示している。
【００４７】
図６Ｃは、ＳＤＭＡを用いる２つのＵＥのための復調基準信号とデータを多重化する別の設計も示しており、２つのＵＥは、循環シフトの同じまたは異なる組を使用して、データを送信することができる。図６Ｃに示される例では、２つのＵＥには、Ｍ＝１２００個の副搬送波が割り当てられ、両方のＵＥは、１２００個の割り当てられた副搬送波上で、復調基準信号およびデータを送信する。第１のＵＥの場合、１個の循環シフトｍ＝０からなるブロック（「Ｐ１」）は、復調基準信号のために使用され、９９個の循環シフトｍ＝１から９９からなるブロック（「Ｇ１１」）は、第１のガード領域のために使用される。第２のＵＥの場合、１個の循環シフトｍ＝１００からなるブロック（「Ｐ２」）は、復調基準信号のために使用され、９９個の循環シフトｍ＝１０１から１９９からなるブロック（「Ｇ２１」）は、第２のガード領域のために使用される。両方のＵＥについて、９０１個の循環シフトｍ＝２００から１１００からなるブロック（「Ｄ」）は、データのために使用され、９９個の循環シフトｍ＝１１０１から１１９９からなるブロック（「Ｇ２２」）は、第３のガード領域のために使用される。データ領域Ｄは、完全なオーバラップを用いて、両方のＵＥに十分に割り当てることができる。代替的に、データ領域Ｄは、部分的なオーバラップを用いてまたは用いずに、２つのＵＥに不均等に割り当てることができる。オーバラップとは、循環シフトが両方のＵＥに割り当てられることを意味し、完全なオーバラップとは、２つのＵＥに同じ１組の循環シフトが割り当てられることを意味し、部分的なオーバラップとは、２つのＵＥに循環シフトの異なる組が割り当てられるが、１つ以上の循環シフトは両方のＵＥに割り当てられることを意味する。オーバラップが存在する場合、ｅＮＢは、２つのＵＥによって送信された個々のデータを回復するために、受信機空間処理技法を使用することができる。ボックス６３０は、異なる循環シフトの１２００個の直交シーケンスのための１２００個の変調シンボルを示している。図６Ｃには示されていないが、データ領域において、２つの変調シンボルｄ1（ｍ）およびｄ2（ｍ）は、両方のＵＥに割り当てられた各循環シフトｍについて、２つのＵＥによって送信することができる。
【００４８】
システムは、アップリンク上で、多入力一出力（ＭＩＳＯ：multiple-input single-output）送信および／または多入力多出力（ＭＩＭＯ：multiple-input multiple-output）送信をサポートすることができる。アップリンク上でのＭＩＳＯまたはＭＩＭＯの場合、ＵＥは、ＵＥの複数の送信アンテナから複数の復調基準信号を、例えば、各アンテナから１つの復調基準信号を送信することができる。ＵＥは、復調基準信号と共にデータも同時に送信することができる。ｅＮＢは、ＵＥの各送信アンテナから送信された復調基準信号に基づいて、そのアンテナについてのチャネル推定値を導出することができる。ｅＮＢは、すべての送信アンテナについてのチャネル推定値に基づいて、ＵＥによって送信されたデータを回復することができる。
【００４９】
図６Ｃは、アップリンク上でＭＩＳＯまたはＭＩＭＯを用いる単一のＵＥのための復調基準信号とデータを多重化する設計を示している。この例では、ＵＥは、ＵＥに割り当てられたＭ＝１２００個の副搬送波上で、２つの復調基準信号およびデータを送信する。図６Ｃに示される例では、１個の循環シフトｍ＝０からなるブロック（「Ｐ１」）は、第１の送信アンテナのための第１の復調基準信号のために使用され、９９個の循環シフトｍ＝１から９９からなるブロック（「Ｇ１１」）は、第１のガード領域のために使用され、１個の循環シフトｍ＝１００からなるブロック（「Ｐ２」）は、第２の送信アンテナのための第２の復調基準信号のために使用され、９９個の循環シフトｍ＝１０１から１９９からなるブロック（「Ｇ２１」）は、第２のガード領域のために使用され、９０１個の循環シフトｍ＝２００から１１００からなるブロック（「Ｄ」）は、データのために使用され、９９個の循環シフトｍ＝１１０１から１１９９からなるブロック（「Ｇ２２」）は、第３のガード領域のために使用される。ボックス６３０は、異なる循環シフトの１２００個の直交シーケンスのための１２００個の変調シンボルを示している。
【００５０】
図６Ａ、図６Ｂ、および図６Ｃは、同じ１組の副搬送波上で１つ以上の復調基準信号およびデータを多重化するために使用できる、３つの例示的な多重化フォーマットを示している。図６Ａ、図６Ｂ、および図６Ｃは、各多重化フォーマットについての領域の特定の組み合わせと、各領域の特定のサイズも示している。図６Ａの多重化フォーマットは、１つのＵＥのために使用することができ、図６Ｂおよび図６Ｃの多重化フォーマットは、１つまたは２つのＵＥのために使用することができる。他の多重化フォーマットも定義することができる。例えば、１つ以上のＵＥのための３つ以上の復調基準信号をサポートする多重化フォーマットを定義することができる。３つ以上のＵＥをサポートする多重化フォーマットも定義することができる。
【００５１】
一般に、利用可能な循環シフトは、１つ以上の組に区分することができ、循環シフトの各組を、異なるＵＥに割り当てることができる。各ＵＥには、任意の数の循環シフトを割り当てることができる。各ＵＥのための１組の循環シフトは、復調基準信号、データ、およびガードのために、任意の数の領域に区分することができる。各領域は、任意の適切なサイズを有することができる。２つのＵＥの間のガード領域（例えば、図６Ｂのガード領域Ｇ１２およびＧ２２）は、遅延拡散に２つのＵＥの間の予想タイミング誤差を加えたものよりも長くなるように選択することができる。同じＵＥからの異なる送信の間のガード領域（例えば、図６Ａのガードの領域Ｇ１およびＧ２、図６Ｂのガード領域Ｇ１１およびＧ２１）は、遅延拡散よりも長くなるように選択することができる。各ガード領域のサイズは、割り当てられた副搬送波の数の特定の割合によって、すなわち、Ｍの特定の割合によって与えることができる。図６Ａに示される例の場合、各ガード領域は、１２００個の副搬送波の割り当てに対して、９９個の循環シフトをカバーすること、６００個の副搬送波の割り当てに対して、４９個の循環シフトをカバーすること、３００個の副搬送波の割り当てに対して、２４個の循環シフトをカバーすることなどができる。同様に、各データ領域のサイズも、割り当てられた副搬送波の数に従ってスケーリングすることができる。
【００５２】
復調基準信号とデータを多重化するためのパラメータは、様々な方法でＵＥに伝達することができる。１つの設計では、ｅＮＢは、使用するために選択された多重化フォーマット、および／または選択された多重化フォーマット内の領域についてのパラメータを伝達するために、シグナリングを送信することができる。図６Ａに示される多重化フォーマットの場合、ｅＮＢは、ガード領域Ｇ１およびＧ２のサイズ、ならびに／またはデータ領域Ｄのサイズを伝達することができる。ガード領域Ｇ１およびＧ２のサイズはまた、すべてのＵＥにブロードキャストすることができ、または循環プレフィックス長（ＮCP）などの他のパラメータに結び付けることができる。ＳＤＭＡの場合、ｅＮＢは、開始循環シフトと、ＵＥに割り当てられた循環シフトの数を伝達することもできる。別の設計では、１組の多重化構成を、例えば、ＬＴＥ規格で定義することができる。各多重化構成は、特定の多重化フォーマットに加えて、多重化フォーマットによって定義された領域毎の特定のサイズにも関連付けることができる。ｅＮＢは、使用するための多重化構成を選択することができ、選択された構成のインデックスをＵＥに送信することができる。ｅＮＢは、他の方法で、多重化のためのパラメータを伝達することもできる。
【００５３】
図７は、受信機７００の設計のブロック図を示しており、受信機７００は、同じリソース上で多重化された復調基準信号とデータを受信することが可能である。受信機５００内では、循環プレフィックス除去ユニット７１２は、１つのＳＣ−ＦＤＭＡシンボル期間において、ＮFFT＋ＮCP個の受信サンプルを獲得し、循環プレフィックスに対応するＮCP個の受信サンプルを除去し、ＮFFT個の受信サンプルを提供することができる。高速フーリエ変換（ＦＦＴ）ユニット７１４は、ＮFFT個の副搬送波全体ｚ（ｎ）について、ＮFFT個の受信サンプル上でＮFFT点ＦＦＴを実行し、ＮFFT個の受信シンボルを提供することができる。シンボル−副搬送波デマッパ７１６は、送信のために使用されたＭ個の副搬送波からＭ個の受信シンボルＺ（ｋ）を提供することができ、残りの受信シンボルは廃棄することができる。
【００５４】
基本シーケンス生成器７２２は、長さＭの周波数領域基本シーケンスＲ（ｋ）を生成することができる。ユニット７２４は、基本シーケンスＲ（ｋ）内の各参照シンボルの複素共役を提供することができる。乗算器７２６は、各受信シンボルＺ（ｋ）に対応する複素共役参照シンボルＲ*（ｋ）を乗算し、対応する入力シンボルＷ（ｋ）を提供することができる。ＩＤＦＴユニット７３２は、乗算器７２６からのＭ個の入力シンボル上でＭ点ＩＤＦＴを実行し、Ｍ個の時間領域入力サンプルｗ（ｎ）、ただし、ｎ＝０，．．．，Ｍ−１を提供することができる。各入力サンプルｗ（ｎ）は、受信サンプルと特定の循環シフトｎの直交シーケンスの間の相関結果を示すことができる。したがって、乗算器７２６およびＩＤＦＴユニット７３２は、受信サンプルを異なる循環シフトのＭ個の直交シーケンスと効率的に相関させることができる。
【００５５】
デマルチプレクサ７３４は、各復調基準信号のための入力サンプルをチャネル推定器７３６に提供することができ、残りの入力サンプルをデータ復調器７３８に提供することができる。例えば、図６Ａに示されるように、ただ１つのＵＥが、Ｍ個の副搬送波上で送信した場合、デマルチプレクサ７３４は、最初のＬ個の入力サンプルｗ（０）からｗ（Ｌ−１）をチャネル推定器７３６に提供することができ、残りのＭ−Ｌ個の入力サンプルをデータ復調器７３８に提供することができる。Ｌは、復調基準信号領域と後続のガード領域のサイズ以下とすることができる。図６Ａに示される例の場合、Ｌは、１００以下とすることができる。最初のＬ個の入力サンプルは、ＵＥからｅＮＢへのワイヤレスチャネルのためのチャネルインパルス応答のＬタップに対応することができる。チャネル推定器７３６は、最初のＬ個の入力サンプルに基づいて、チャネル推定値を導出することができる。チャネル推定値は、時間領域チャネルインパルス応答推定値、周波数領域チャネル周波数応答推定値などとすることができる。
【００５６】
データ復調器７３８は、チャネル推定値に基づいて、残りの入力サンプルを復調し、検出されたシンボル
【数４】
2016103838.tif 000006
【００５７】
を提供することができ、検出されたシンボルは、ＵＥによって送信されたデータ変調シンボルｄ（ｍ）の推定値とすることができる。データ復調器７３８は、データ領域内の循環シフト間のチップ間干渉（interchip interference）を軽減するために、チャネル推定値を用いて等化を実行することができる。
【００５８】
例えば、図６Ｂまたは図６Ｃに示されるように、複数のＵＥがＭ個の副搬送波上で送信する場合、デマルチプレクサ７３４は、復調基準信号領域およびガード領域の各組に対応する入力サンプルをチャネル推定器７３６に提供することができ、残りの入力サンプルをデータ復調器７３８に提供することができる。チャネル推定器７３６は、各復調基準信号のためのチャネル推定値を、その基準信号のための入力サンプルに基づいて導出することができる。データ復調器７３８は、各ＵＥからのデータに対応する入力サンプルを、そのＵＥのためのチャネル推定値に基づいて復調することができ、検出されたシンボルをＵＥに提供することができる。
【００５９】
図７は、同じリソース上で送信された復調基準信号およびデータを回復できる受信機の例示的な設計を示している。チャネル推定および復調は、他の方法で実行することもできる。
【００６０】
本明細書で説明される技法は、復調基準信号が同じリソース上でデータと多重化されることを可能にすることができる。結果の出力サンプルは、多重化のために、より高いピーク対平均電力比（ＰＡＰＲ：peak-to-average-power ratio）を有することができる。高いアップリンク電力ヘッドルーム（power headroom）を有するＵＥ（例えば、ｅＮＢの近くに配置され、その結果、比較的低い電力で送信するＵＥ）の場合、単一搬送波波形を維持する必要はないことがあり、単一搬送波波形は、所定のシンボル期間において復調基準信号のみまたはデータのみを送信することによって、獲得することができる。復調基準信号と共にデータを送信することは、これらのＵＥにとって有益なことがある。この技法は、低い遅延拡散を有するシナリオでは、復調基準信号のためのオーバヘッドを１４％から１７％低減して、ゼロに近づけることができることがある。例えば、ＵＥは、図６Ａに示されている多重化フォーマットを用いて、１つのＳＣ−ＦＤＭＡシンボル内で１００１個のデータ変調シンボルを送信できることがある。
【００６１】
本明細書で説明された技法は、本質的に、シンボル期間において利用可能な次元を、基本シーケンスの異なる循環シフトを使用して、符号領域において、直交シーケンスまたは拡散符号として分割する。本明細書で説明された技法は、直交シーケンスを使用して、復調基準信号とデータの間の直交性を維持することができる。この技法はまた、ＳＤＭＡのための複数のＵＥの多重化をサポートすることができ、これらのＵＥの間の直交性を維持することができる。調整された割り当てを用いて、隣接セル内のＵＥの間で直交性を維持することができる。
【００６２】
図８は、ワイヤレス通信方式において基準信号およびデータを送信するためのプロセス８００の設計を示している。プロセス８００は、（以下で説明されるように）ＵＥによって、または他の何らかのエンティティによって実行することができる。ＵＥは、送信のためにＵＥに割り当てられた１組の副搬送波を決定することができる（ブロック８１２）。ＵＥは、基本シーケンスの少なくとも１つの循環シフトを使用して、割り当てられたリソース上で、少なくとも１つの基準信号を送信することができる（ブロック８１４）。割り当てられたリソースは、シンボル期間における１組の副搬送波に対応することができる。基本シーケンスは、ザドフ−チューシーケンスまたは他の何らかのシーケンスなどのＣＡＺＡＣシーケンスを備えることができる。基地局の各循環シフトは、上で説明したように、異なる直交シーケンスに対応することができる。各基準信号は、データ復調のために使用される復調基準信号または他の何らかの信号とすることができる。ＵＥは、基本シーケンスの少なくとも１つの他の循環シフトを使用して、割り当てられたリソース上で、データを送信することができる（ブロック８１６）。
【００６３】
ブロック８１４の間に、ＵＥは、基本シーケンスの異なる循環シフトを使用して、各基準信号を送信することができる。各基準信号について、ＵＥは、基準信号の既知の変調シンボル（例えばｇRS）を用いて、基本シーケンスの循環シフトを変調することができる。ブロック８１６の間に、ＵＥは、データにデータ変調シンボルを用いて、基本シーケンスの各循環シフトを変調することができる。ＵＥは、様々な方法で循環シフトを変調することができる。
【００６４】
図９は、基本シーケンスの循環シフトを変調するためのプロセス９００の設計を示している。プロセス９００は、図８のステップ８１４および８１６のために使用することができ、図５に示されるように実施することができる。ＵＥは、周波数領域シンボルを獲得するために、少なくとも１つの基準信号およびデータのための変調シンボルを変換することができる（ブロック９１２）。ＵＥは、変調されたシンボルを獲得するために、基本シーケンスのための参照シンボルに周波数領域シンボルを乗算することができる（ブロック９１４）。ＵＥは、変調されたシンボルを、送信のために割り当てられた１組の副搬送波にマッピングすることができ、ゼロシンボルを残りの副搬送波にマッピングすることができる（ブロック９１６）。ＵＥは、シンボル期間中に送信するための時間領域出力サンプルを獲得するために、マッピングされたシンボルを変換することができる（ブロック９１８）。
【００６５】
ＵＥは、様々な方法で基準信号およびデータを送信することができる。１つの設計では、ＵＥは、例えば、図６Ａに示されるように、基本シーケンスの単一の循環シフトを使用して、単一の基準信号を送信することができる。別の設計では、ＵＥは、基本シーケンスの複数の循環シフトを使用して、複数の基準信号を送信することが、例えば、ＵＥの送信アンテナ毎に１つの基準信号を送信することができる。ＵＥは、基本シーケンスの複数の循環シフトを使用して、複数のデータ変調シンボルを送信することができる。１つの設計では、ＵＥは、基準信号のために使用される各循環シフトがデータのために使用される各循環シフトよりも高い送信電力を獲得するように、少なくとも１つの基準信号のために使用される少なくとも１つの循環シフトにより高い利得を適用することができる。
【００６６】
１つの設計では、ＵＥは、ＵＥに割り当てられた１組の循環シフトを決定することができる。１組の循環シフトは、ＵＥに割り当てられた１組の副搬送波で利用可能な、すべての循環シフトのサブセットを含むことができる。ＳＤＭＡの場合、残りの利用可能な循環シフトは、少なくとも１つの他のＵＥに割り当てることができる。ＵＥは、ＵＥに割り当てられた１組の循環シフトから、少なくとも１つの基準信号のための少なくとも１つの循環シフトと、データのための少なくとも１つの他の循環シフトを決定することができる。
【００６７】
１つの設計では、少なくとも１つの基準信号のための少なくとも１つの循環シフトは、例えば、図６Ａから図６Ｃに示されるように、少なくとも１つのガード領域によって、データのための少なくとも１つの他の循環シフトから分離することができる。各ガード領域は、１つ以上の循環シフトを含むことができる。ＵＥが複数の基準信号を送信する場合、複数の基準信号のための循環シフトは、１つ以上の循環シフトによって互いに分離することができる。
【００６８】
１つの設計では、ＵＥは、少なくとも１つの基準信号のために使用する少なくとも１つの循環シフト、および／またはデータのために使用する少なくとも１つの他の循環シフトを示すシグナリングを受信することができる。シグナリングは、使用する多重化フォーマット、多重化フォーマット内の各領域のサイズなどを示すことができる。代替的に、シグナリングは、サポートされるすべての多重化構成のうちの選択された多重化構成のインデックスを伝達することができる。
【００６９】
図１０はワイヤレス通信方式において基準信号およびデータを送信するための装置１０００の設計を示している。装置１０００は、送信のためにＵＥに割り当てられた１組の副搬送波を決定するためのモジュール１０１２と、基本シーケンスの少なくとも１つの循環シフトを使用して割り当てられたリソース上で少なくとも１つの基準信号を送信するためのモジュール１０１４であって、割り当てられたリソースがシンボル期間における１組の副搬送波に対応する、モジュール１０１４と、基本シーケンスの少なくとも１つの他の循環シフトを使用して割り当てられたリソース上でデータを送信するためのモジュール１０１６とを含む。
【００７０】
図１１は、ワイヤレス通信方式において基準信号およびデータを受信するためのプロセス１１００の設計を示している。プロセス１１００は、（以下で説明されるように）基地局／ｅＮＢによって、または他の何らかのエンティティによって実行することができる。ｅＮＢは、送信のためにＵＥに割り当てられた１組の副搬送波を決定することができる（ブロック１１１２）。ｅＮＢは、基本シーケンスの少なくとも１つの循環シフトを使用して、割り当てられたリソース上で、ＵＥによって送信された少なくとも１つの基準信号を受信することができる（ブロック１１１４）。割り当てられたリソースは、シンボル期間における１組の副搬送波に対応することができる。ｅＮＢは、基本シーケンスの少なくとも他の１つの循環シフトを使用して、割り当てられたリソース上で、ＵＥによって送信されたデータを受信することができる（ブロック１１１６）。ｅＮＢは、様々な方法で基準信号およびデータのための復調を実行することができる。
【００７１】
図１２は、基本シーケンスの循環シフトを復調するためのプロセス１２００の設計を示している。プロセス１２００は、図７に示されるように実施することができる。ｅＮＢは、受信シンボルを獲得するために、シンボル期間中の受信サンプルを周波数領域に変換することができる（ブロック１２１２）。ｅＮＢは、ＵＥに割り当てられた１組の副搬送波のための受信シンボルを抽出することができ、残りの受信シンボルを廃棄することができる（ブロック１２１４）。ｅＮＢは、入力シンボルを獲得するために、抽出されたシンボルに基本シーケンスから導出されたシンボルを乗算することができる（ブロック１２１６）。その後、ｅＮＢは、入力サンプルを獲得するために、入力シンボルを時間領域に変換することができる（ブロック１２１８）。ｅＮＢは、入力サンプルの第１のサブセットに基づいて、チャネル推定値を導出することができる（ブロック１２２０）。ｅＮＢは、ＵＥによって送信されたデータのための検出されたシンボルを獲得するために、チャネル推定値を用いて、入力サンプルの第２のサブセットに対してデータ復調を実行することができる（ブロック１２２２）。
【００７２】
１つの設計では、ｅＮＢは、基本シーケンスの単一の循環シフトを使用して、ＵＥによって送信された単一の基準信号を受信することができる。別の設計では、ｅＮＢは、基本シーケンスの複数の循環シフトを使用して、ＵＥによって送信された複数の基準信号を受信することが、例えば、ＵＥの送信アンテナ毎に１つの基準信号を受信することができる。各基準信号は、基本シーケンスの異なる循環シフトを使用して、送信することができる。ｅＮＢは、ＵＥの各送信アンテナから送信された基準信号に基づいて、そのアンテナのためのチャネル推定値を導出することができる。両方の設計のために、ｅＮＢは、基本シーケンスの複数の循環シフトを使用して、ＵＥによって送信された複数のデータ変調シンボルを受信することができる。
【００７３】
ＳＤＭＡの場合、ｅＮＢは、ＵＥに割り当てられた循環シフトの第１の組を決定することができ、第２のＵＥに割り当てられた循環シフトの第２の組を決定することができる。両方のＵＥには、同じ１組の副搬送波を割り当てることができる。循環シフトの第１および第２の組は、割り当てられた１組の副搬送波で利用可能な、すべての循環シフトの異なるサブセットを備えることができる。ｅＮＢは、循環シフトの第１の組を使用して、ＵＥによって送信された少なくとも１つの基準信号およびデータを受信することができる。ｅＮＢは、循環シフトの第２の組を使用して、第２のＵＥによって送信された少なくとも１つの基準信号および場合によってはデータを受信することができる。ｅＮＢは、１組の副搬送波上で３つ以上のＵＥを多重化することもできる。
【００７４】
ｅＮＢは、少なくとも１つの基準信号のために使用する少なくとも１つの循環シフト、および／またはデータのために使用する少なくとも１つの他の循環シフトを示すシグナリングをＵＥに送信することができる。シグナリングは、上で説明したように、様々な方法で適切な情報を伝達することができる。
【００７５】
図１３は、ワイヤレス通信方式において基準信号およびデータを受信するための装置１３００の設計を示している。装置１３００は、送信のためにＵＥに割り当てられた１組の副搬送波を決定するためのモジュール１３１２と、基本シーケンスの少なくとも１つの循環シフトを使用して割り当てられたリソース上でＵＥによって送信された少なくとも１つの基準信号を受信するためのモジュール１３１４であって、割り当てられたリソースはシンボル期間における１組の副搬送波に対応する、モジュール１３１４と、基本シーケンスの少なくとも１つの他の循環シフトを使用して割り当てられたリソース上でＵＥによって送信されたデータを受信するためのモジュール１３１６とを含む。
【００７６】
図１０および図１３のモジュールは、プロセッサ、電子デバイス、ハードウェアデバイス、電子コンポーネント、論理回路、メモリ、ソフトウェアコード、ファームウェアコードなど、またはそれらの任意の組み合わせを備えることができる。
【００７７】
図１４は、図１のｅＮＢの１つおよびＵＥの１つとすることができる、基地局／ｅＮＢ  １１０およびＵＥ  １２０の設計のブロック図を示している。ＵＥ  １２０は、Ｔ個のアンテナ１４３４ａから１４３４ｔを装備することができ、ｅＮＢ  １１０は、Ｒ個のアンテナ１４５２ａから１４５２ｒを装備することができ、一般に、Ｔ≧１およびＲ≧１である。
【００７８】
ＵＥ  １２０では、送信プロセッサ１４２０は、データ源１４１２からトラフィックデータを受け取り、１つ以上の変調および符号化方式に基づいて、トラフィックデータを処理（例えば、符号化、インタリーブ、および変調）し、トラフィックデータのための変調シンボルを提供する。送信プロセッサ１４２０は、コントローラ／プロセッサ１４４０からの制御データを処理し、制御データのための変調シンボルを提供することもできる。送信プロセッサ１４２０は、例えば、図４または図５に示されるように、基本シーケンスを生成し、既知の変調シンボルおよび／またはデータ変調シンボルを用いて、基本シーケンスの異なる循環シフトを変調する。送信（ＴＸ）ＭＩＭＯプロセッサ１４３０は、適用可能である場合、送信プロセッサ１４２０からのシンボルに対して空間処理（例えばプリコーディング）を実行し、Ｔ個の出力シンボルストリームをＴ個の変調器（ＭＯＤ）１４３２ａから１４３２ｔに提供する。各変調器１４３２は、出力サンプルストリームを獲得するために、（例えばＳＣ−ＦＤＭＡのための）それぞれの出力シンボルストリームを処理することができる。各変調器１４３２は、アップリンク信号を獲得するために、出力サンプルストリームをさらに処理（例えば、アナログ変換、増幅、フィルタリング、およびアップコンバート）することができる。変調器１４３２ａから１４３２ｔからのＴ個のアップリンク信号は、Ｔ個のアンテナ１４３４ａから１４３４ｔを介してそれぞれ送信することができる。
【００７９】
ｅＮＢ  １１０では、アンテナ１４５２ａから１４５２ｒは、ＵＥ  １２０からアップリンク信号を受信して、受信信号を復調器（ＤＥＭＯＤ）１４５４ａから１４５４ｒにそれぞれ提供することができる。各復調器１４５４は、受信サンプルを獲得するために、それぞれの受信信号を調整（例えば、フィルタリング、増幅、ダウンコンバート、ディジタル化）することができる。各復調器１４５４は、入力シンボルを獲得するために、受信サンプルをさらに処理することができる。例えば、各復調器１４５４は、例えば、図７に示されるように、基本シーケンスの異なる循環シフトを復調することができる。ＭＩＭＯ検出器１４５６は、すべてのＲ個の復調器１４５４ａから１４５４ｒから入力シンボルを獲得し、適用可能な場合は、入力シンボルに対してＭＩＭＯ検出を実行し、検出されたシンボルを提供することができる。受信プロセッサ１４５８は、検出されたシンボルを処理（例えば、復調、デインタリーブ、復号）し、復号されたトラフィックデータをデータシンク１４６０に提供し、復号された制御データをコントローラ／プロセッサ１４８０に提供することができる。
【００８０】
ダウンリンク上では、ｅＮＢ  １１０において、データ源１４６２からのトラフィックデータ、およびコントローラ／プロセッサ１４８０からの制御データ（例えばリソース割り当て）は、送信プロセッサ１４６４によって処理され、適用可能な場合は、ＴＸ  ＭＩＭＯプロセッサ１４６６によってプリコーディングされ、変調器１４５４ａから１４５４ｒによって調整されて、ＵＥ  １２０に送信されることができる。ＵＥ  １２０では、ｅＮＢ  １１０からのダウンリンク信号は、ＵＥ  １２０に送信されたトラフィックデータおよび制御データを獲得するために、アンテナ１４３４によって受信され、復調器１４３２によって調整され、適用可能な場合は、ＭＩＭＯ検出器１４３６によって処理され、受信プロセッサ１４３８によってさらに処理されることができる。
【００８１】
コントローラ／プロセッサ１４４０および１４８０は、ＵＥ  １２０およびｅＮＢ  １１０の動作をそれぞれ管理することができる。プロセッサ１４２０、ならびに／またはＵＥ  １２０の他のプロセッサおよびモジュールは、図８のプロセス８００、図９のプロセス９００、および／または本明細書で説明された技法のための他のプロセスを実行または管理することができる。復調器１４５４、プロセッサ１４５８、ならびに／またはｅＮＢ  １１０の他のプロセッサおよびモジュールは、図１１のプロセス１１００、図１２のプロセス１２００、および／または本明細書で説明された技法のための他のプロセスを実行または管理することができる。メモリ１４４２および１４８２は、それぞれＵＥ  １２０およびｅＮＢ  １１０のためのデータおよびプログラムコードを保存することができる。スケジューラ１４８４は、ダウンリンクおよび／またはアップリンク送信のためにＵＥをスケジュールすることができ、スケジュールされたＵＥにリソースの割り当て（例えば、副搬送波、循環シフトなど）を提供することができる。
【００８２】
情報および信号を様々な異なる技術および技法のいずれかを使用して表現できることが当業者には理解されよう。例えば、上述の説明の様々な箇所で言及された可能性のある、データ、命令、コマンド、情報、信号、ビット、シンボル、およびチップは、電圧、電流、電磁波、磁場もしくは磁気粒子、光場もしくは光粒子、またはそれらの任意の組み合わせによって表現することができる。
【００８３】
本明細書の開示に関連して説明された、様々な例示的な論理ブロック、モジュール、回路、およびアルゴリズムステップを、電子ハードウェア、コンピュータソフトウェア、または両方の組み合わせとして実施できることが当業者にはさらに理解されよう。ハードウェアとソフトウェアのこの互換性を明確に示すため、様々な例示的なコンポーネント、ブロック、モジュール、回路、およびステップは、上では概ねそれらの機能性によって説明された。そのような機能性がハードウェアとして実施されるか、それともソフトウェアとして実施されるかは、システム全体に課される特定のアプリケーション制約および設計制約に依存する。当業者は、特定のアプリケーション毎に様々な方法で、説明された機能性を実施することができるが、そのような実施の決定は、本開示の範囲からの逸脱を引き起こすと解釈されるべきではない。
【００８４】
本明細書の開示に関連して説明された、様々な例示的な論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラム可能な論理回路、個別的なゲートもしくはトランジスタ論理、個別的なハードウェアコンポーネント、または本明細書で説明された機能を実行するように設計されたそれらの任意の組み合わせを用いて実施または実行することができる。汎用プロセッサは、マイクロプロセッサとすることができるが、代替的に、プロセッサは、任意の従来型プロセッサ、コントローラ、マイクロコントローラ、またはステートマシンとすることができる。プロセッサは、例えば、ＤＳＰとマイクロプロセッサの組み合わせ、複数のマイクロプロセッサ、ＤＳＰコアと連携する１つ以上のマイクロプロセッサ、または他の任意のそのような構成など、コンピューティングデバイスの組み合わせとして実施することもできる。
【００８５】
本明細書の開示に関連して説明された、方法またはアルゴリズムのステップは、ハードウェアで直接的に、プロセッサによって実行されるソフトウェアモジュールで、または２つの組み合わせで具現することができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、着脱可能ディスク、ＣＤ−ＲＯＭ、または当技術分野で知られた他の任意の形態の記憶媒体内に存在することができる。例示的な記憶媒体は、プロセッサが記憶媒体から情報を読み取り、記憶媒体に情報を書き込むことができるように、プロセッサに結合される。代替的に、記憶媒体は、プロセッサに統合することができる。プロセッサおよび記憶媒体は、ＡＳＩＣ内に存在することができる。ＡＳＩＣは、ユーザ端末内に存在することができる。代替的に、プロセッサおよび記憶媒体は、ユーザ端末内に個別的なコンポーネントとして存在することができる。
【００８６】
１つ以上の例示的な設計では、説明される機能は、ハードウェア、ソフトウェア、ファームウェア、またはそれらの任意の組み合わせで実施することができる。ソフトウェアで実施される場合、機能は、コンピュータ可読媒体上に保存することができ、または１つ以上の命令もしくはコードとして、コンピュータ可読媒体上で送信することができる。コンピュータ可読媒体は、コンピュータ記憶媒体と、１つの場所から別の場所へのコンピュータプログラムの転送を容易にする任意の媒体を含む通信媒体とを共に含む。記憶媒体は、汎用または専用コンピュータによってアクセスできる任意の利用可能な媒体とすることができる。限定することなく、例を挙げると、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは命令またはデータ構造の形式を取る所望のプログラムコード手段を送信または記憶するために使用でき、汎用もしくは専用コンピュータまたは汎用もしくは専用プロセッサによってアクセスできる他の任意の媒体を備えることができる。また、妥当する場合は、任意の接続がコンピュータ可読媒体と呼ばれる。例えば、ソフトウェアが、ウェブサイト、サーバ、または他のリモートソースから、同軸ケーブル、光ファイバケーブル、ツイストペア、ディジタル加入者回線（ＤＳＬ）、または赤外線、無線、およびマイクロ波などのワイヤレス技術を使用して送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（ｄｉｓｋおよびｄｉｓｃ）は、コンパクトディスク（ＣＤ）、レーザーディスク（登録商標）、光ディスク、ディジタル多用途ディスク（ＤＶＤ）、フロッピー（登録商標）ディスク、ブルーレイディスクを含み、ｄｉｓｋは通常、磁気的にデータを再生し、ｄｉｓｃは、レーザを用いて光学的にデータを再生する。上記の組み合わせも、コンピュータ可読媒体の範囲内に含まれるべきである。
【００８７】
本開示のこれまでの説明は、当業者が開示されたものを作成または使用することを可能にするために提供されている。本開示に対する様々な変更が当業者には容易に明らかになり、本明細書で定義された一般的な原理は、本開示の主旨および範囲から逸脱することなく、他の変形にも適用することができる。したがって、本開示は、本明細書で説明された例および設計に限定することを意図しておらず、本明細書で開示された原理および新規な特徴と一致する最も広い範囲が与えられることを意図している。
【図１】
2016103838.tif 000007
【図２】
2016103838.tif 000008
【図３】
2016103838.tif 000009
【図４】
2016103838.tif 000010
【図５】
2016103838.tif 000011
【図６Ａ】
2016103838.tif 000012
【図６Ｂ】
2016103838.tif 000013
【図６Ｃ】
2016103838.tif 000014
【図７】
2016103838.tif 000015
【図８】
2016103838.tif 000016
【図９】
2016103838.tif 000017
【図１０】
2016103838.tif 000018
【図１１】
2016103838.tif 000019
【図１２】
2016103838.tif 000020
【図１３】
2016103838.tif 000021
【図１４】
2016103838.tif 000022
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）上で動作する、ワイヤレス通信のための方法において、
基本シーケンスの少なくとも１つの循環シフトを使用して、シンボル期間における副搬送波の組上で、少なくとも１つの基準信号を送信することと、
前記基本シーケンスの少なくとも１つの他の循環シフトを使用して、前記シンボル期間における前記副搬送波の組上でデータを送信することとを含む方法。
【請求項２】
送信のために前記ＵＥに割り当てられた前記副搬送波の組を決定することをさらに含む請求項１記載の方法。
【請求項３】
前記少なくとも１つの基準信号を送信することと前記データを送信することが、
前記少なくとも１つの基準信号と前記データとに対する変調シンボルを変換して、周波数領域シンボルを獲得することと、
前記基本シーケンスの参照シンボルに前記周波数領域シンボルを乗算して、変調されたシンボルを獲得することと、
前記変調されたシンボルを、前記シンボル期間における前記副搬送波の組にマッピングすることと、
前記マッピングされたシンボルを変換して、前記シンボル期間中の送信のための時間領域出力サンプルを獲得することとを含む請求項２記載の方法。
【請求項４】
前記少なくとも１つの基準信号を送信することが、前記基本シーケンスの少なくとも１つの循環シフトの各々を、基準信号に対する既知の変調シンボルにより変調することを含み、
前記データ送信することが、前記基本シーケンスの少なくとも１つの他の循環シフトの各々を、データ変調シンボルにより変調することを含む請求項１記載の方法。
【請求項５】
前記少なくとも１つの基準信号を送信することが、前記基本シーケンスの単一の循環シフトを使用して、単一の基準信号を送信することを含み、
前記データ送信することが、前記基本シーケンスの複数の循環シフトを使用して、複数のデータ変調シンボルを送信することを含む請求項１記載の方法。
【請求項６】
前記少なくとも１つの基準信号を送信することが、前記基本シーケンスの複数の循環シフトを使用して、複数の基準信号を送信することを含み、送信アンテナ毎に１つの基準信号であり、各基準信号が、前記基本シーケンスの異なる循環シフトを使用して送信される請求項１記載の方法。
【請求項７】
前記ＵＥに割り当てられた循環シフトの組を決定し、前記循環シフトの組が、前記シンボル期間における前記副搬送波の組で利用可能な、すべての循環シフトのサブセットを含み、残りの利用可能な循環シフトの少なくともサブセットが、少なくとも１つの他のＵＥに割り当てられることと、
前記ＵＥに割り当てられた前記循環シフトの組から、前記少なくとも１つの基準信号に対する前記少なくとも１つの循環シフトと前記データに対する前記少なくとも１つの他の循環シフトとを決定することとをさらに含む請求項２記載の方法。
【請求項８】
前記少なくとも１つの基準信号に対する前記少なくとも１つの循環シフトが、少なくとも１つのガード領域によって、前記データに対する前記少なくとも１つの他の循環シフトから分離され、各ガード領域が、１つ以上の循環シフトを含む請求項１記載の方法。
【請求項９】
前記複数の基準信号に対する前記複数の循環シフトが、互いに分離される請求項６記載の方法。
【請求項１０】
前記少なくとも１つの基準信号に対して使用される前記少なくとも１つの循環シフトにより高い利得を適用して、データに対して使用される各循環シフトに関して、基準信号に対して使用される各循環シフトに対してより高い送信電力を獲得することをさらに含む請求項１記載の方法。
【請求項１１】
前記少なくとも１つの基準信号に対して使用する前記少なくとも１つの循環シフト、または、前記データに対して使用する前記少なくとも１つの他の循環シフト、または、両方を示すシグナリングを受信することをさらに含む請求項１記載の方法。
【請求項１２】
前記基本シーケンスが、ＣＡＺＡＣ（一定振幅ゼロ自己相関）シーケンスを含む請求項１記載の方法。
【請求項１３】
前記基本シーケンスが、ザドフ−チューシーケンスを含む請求項１記載の方法。
【請求項１４】
ワイヤレス通信のための装置において、
基本シーケンスの少なくとも１つの循環シフトを使用して、シンボル期間における副搬送波の組上で、少なくとも１つの基準信号を送信する手段と、
前記基本シーケンスの少なくとも１つの他の循環シフトを使用して、前記シンボル期間における前記副搬送波の組上でデータを送信する手段とを具備する装置。
【請求項１５】
前記少なくとも１つの基準信号を送信する手段と前記データを送信する手段が、
前記少なくとも１つの基準信号と前記データとに対する変調シンボルを変換して、周波数領域シンボルを獲得する手段と、
前記基本シーケンスの参照シンボルに前記周波数領域シンボルを乗算して、変調されたシンボルを獲得する手段と、
前記変調されたシンボルを、前記シンボル期間における前記副搬送波の組にマッピングする手段と、
前記マッピングされたシンボルを変換して、前記シンボル期間中の送信のための時間領域出力サンプルを獲得する手段とを備える請求項１４記載の装置。
【請求項１６】
前記少なくとも１つの基準信号を送信する手段が、前記基本シーケンスの少なくとも１つの循環シフトの各々を、基準信号に対する既知の変調シンボルにより変調する手段を備え、前記データ送信する手段が、前記基本シーケンスの少なくとも１つの他の循環シフトの各々を、データ変調シンボルにより変調する手段を備える請求項１４記載の装置。
【請求項１７】
前記少なくとも１つの基準信号を送信する手段が、前記基本シーケンスの単一の循環シフトを使用して、単一の基準信号を送信する手段を備え、前記データ送信する手段が、前記基本シーケンスの複数の循環シフトを使用して、複数のデータ変調シンボルを送信する手段を備える請求項１４記載の装置。
【請求項１８】
前記少なくとも１つの基準信号を送信する手段が、前記基本シーケンスの複数の循環シフトを使用して、複数の基準信号を送信する手段を備え、送信アンテナ毎に１つの基準信号であり、各基準信号が、前記基本シーケンスの異なる循環シフトを使用して送信される請求項１４記載の装置。
【請求項１９】
送信のための装置に割り当てられた副搬送波の組を決定する手段と、
前記装置に割り当てられた循環シフトの組を決定し、前記循環シフトの組が、前記シンボル期間における前記副搬送波の組で利用可能な、すべての循環シフトのサブセットを含み、残りの利用可能な循環シフトの少なくともサブセットが、少なくとも１つの他の装置に割り当てられる手段と、
前記装置に割り当てられた前記循環シフトの組から、前記少なくとも１つの基準信号に対する前記少なくとも１つの循環シフトと前記データに対する前記少なくとも１つの他の循環シフトをと決定する手段とをさらに具備する請求項１４記載の装置。
【請求項２０】
ワイヤレス通信のための装置において、
基本シーケンスの少なくとも１つの循環シフトを使用して、シンボル期間における副搬送波の組上で、少なくとも１つの基準信号を送信し、前記基本シーケンスの少なくとも１つの他の循環シフトを使用して、前記シンボル期間における前記副搬送波の組上で、データを送信するように構成されている少なくとも１つのプロセッサを具備する装置。
【請求項２１】
前記少なくとも１つのプロセッサが、
前記少なくとも１つの基準信号と前記データとに対する変調シンボルを変換して、周波数領域シンボルを獲得するようにと、
前記基本シーケンスの参照シンボルに前記周波数領域シンボルを乗算して、変調されたシンボルを獲得するようにと、
前記変調されたシンボルを、前記シンボル期間における前記副搬送波の組にマッピングするようにと、
前記マッピングされたシンボルを変換して、前記シンボル期間中の送信のための時間領域出力サンプルを獲得するように構成されている請求項２０記載の装置。
【請求項２２】
前記少なくとも１つのプロセッサが、前記基本シーケンスの少なくとも１つの循環シフトの各々を、基準信号に対する既知の変調シンボルにより変調し、前記基本シーケンスの少なくとも１つの他の循環シフトの各々を、データ変調シンボルにより変調するように構成されている請求項２０記載の装置。
【請求項２３】
前記少なくとも１つのプロセッサが、前記基本シーケンスの単一の循環シフトを使用して、単一の基準信号を送信し、前記基本シーケンスの複数の循環シフトを使用して、複数のデータ変調シンボルを送信するように構成されている請求項２０記載の装置。
【請求項２４】
前記少なくとも１つのプロセッサが、前記基本シーケンスの複数の循環シフトを使用して、複数の基準信号を送信し、送信アンテナ毎に１つの基準信号であり、各基準信号が、前記基本シーケンスの異なる循環シフトを使用して送信されるように構成されている請求項２０記載の装置。
【請求項２５】
前記少なくとも１つのプロセッサが、
送信のために前記装置に割り当てられたシンボル期間における副搬送波の組を決定して、前記装置に割り当てられた循環シフトの組を決定し、前記循環シフトの組が、前記シンボル期間における前記副搬送波の組で利用可能な、すべての循環シフトのサブセットを含み、残りの利用可能な循環シフトの少なくともサブセットが、少なくとも１つの他の装置に割り当てられるようにと、
前記装置に割り当てられた前記循環シフトの組から、前記少なくとも１つの基準信号に対する前記少なくとも１つの循環シフトと前記データに対する前記少なくとも１つの他の循環シフトとを決定するように構成されている請求項２０記載の装置。
【請求項２６】
コンピュータプログラムにおいて、
少なくとも１つのコンピュータに、基本シーケンスの少なくとも１つの循環シフトを使用して、シンボル期間における副搬送波の組上で、少なくとも１つの基準信号を送信させるためのコードと、
前記少なくとも１つのコンピュータに、前記基本シーケンスの少なくとも１つの他の循環シフトを使用して、前記シンボル期間における前記副搬送波の組上で、データを送信させるためのコードとを含むコンピュータプログラム。
【請求項２７】
基地局上で動作する、ワイヤレス通信のための方法において、
基本シーケンスの少なくとも１つの循環シフトを使用して、シンボル期間における副搬送波の組上で、ユーザ機器（ＵＥ）によって送信された少なくとも１つの基準信号を受信することと、
前記基本シーケンスの少なくとも１つの他の循環シフトを使用して、前記シンボル期間における前記副搬送波の組上で、前記ＵＥによって送信されたデータを受信することとを含む方法。
【請求項２８】
送信のために前記ＵＥに割り当てられた副搬送波の組を決定することをさらに含む請求項２７記載の方法。
【請求項２９】
前記少なくとも１つの基準信号を受信することと前記データを受信することが、
前記シンボル期間中の受信サンプルを周波数領域に変換して、受信シンボルを獲得することと、
前記シンボル期間における前記副搬送波の組に対する受信シンボルを抽出することと、
前記抽出されたシンボルに前記基本シーケンスから導出されたシンボルを乗算して、入力シンボルを獲得することと、
前記入力シンボルを時間領域に変換して、入力サンプルを獲得することと、
前記入力サンプルの第１のサブセットに基づいて、チャネル推定値を導出することと、
前記チャネル推定値を用いて、前記入力サンプルの第２のサブセットに対してデータ復調を実行して、前記ＵＥによって送信された前記データに対する検出されたシンボルを獲得することとを含む請求項２８記載の方法。
【請求項３０】
前記少なくとも１つの基準信号を受信することが、前記基本シーケンスの単一の循環シフトを使用して、前記ＵＥによって送信された単一の基準信号を受信することを含み、前記データを受信することが、前記基本シーケンスの複数の循環シフトを使用して、前記ＵＥによって送信された複数のデータ変調シンボルを受信することを含む請求項２７記載の方法。
【請求項３１】
前記少なくとも１つの基準信号を受信することが、前記基本シーケンスの複数の循環シフトを使用して、前記ＵＥによって送信された複数の基準信号を受信し、前記ＵＥの送信アンテナ毎に１つの基準信号であり、各基準信号が、前記基本シーケンスの異なる循環シフトを使用して送信されることを含み、
前記方法が、前記送信アンテナから送信された前記基準信号に基づいて、前記ＵＥの送信アンテナ毎にチャネル推定値を導出することをさらに含む請求項２７記載の方法。
【請求項３２】
前記ＵＥに割り当てられた循環シフトの第１の組を決定することと、
第２のＵＥに割り当てられた循環シフトの第２の組を決定することであって、前記ＵＥおよび前記第２のＵＥには共に、前記シンボル期間における前記副搬送波の組が割り当てられ、前記第１および第２の組が、前記割り当てられた前記シンボル期間における前記副搬送波の組で利用可能な、すべての循環シフトの異なるサブセットを含むことと、
循環シフトの前記第１の組を使用して、前記ＵＥによって送信された前記少なくとも１つの基準信号と前記データとを受信することと、
循環シフトの前記第２の組を使用して、前記第２のＵＥによって送信された少なくとも１つの基準信号のみを、または少なくとも１つの基準信号およびデータの両方を受信することとをさらに含む請求項２８記載の方法。
【請求項３３】
前記少なくとも１つの基準信号に対して使用する前記少なくとも１つの循環シフト、または、前記データに対して使用する前記少なくとも１つの他の循環シフト、または両方を示すシグナリングを前記ＵＥに送信することをさらに含む請求項２７記載の方法。
【請求項３４】
ワイヤレス通信のための装置において、
基本シーケンスの少なくとも１つの循環シフトを使用して、シンボル期間における副搬送波の組上で、ユーザ機器（ＵＥ）によって送信された少なくとも１つの基準信号を受信する手段と、
前記基本シーケンスの少なくとも１つの他の循環シフトを使用して、前記シンボル期間における前記副搬送波の組上で、前記ＵＥによって送信されたデータを受信する手段とを具備する装置。
【請求項３５】
前記少なくとも１つの基準信号を受信する手段と前記データを受信する手段が、
前記シンボル期間中の受信サンプルを周波数領域に変換して、受信シンボルを獲得する手段と、
送信のために前記ＵＥに割り当てられた前記シンボル期間における前記副搬送波の組に対する受信シンボルを抽出する手段と、
前記抽出されたシンボルに前記基本シーケンスから導出されたシンボルを乗算して、入力シンボルを獲得する手段と、
前記入力シンボルを時間領域に変換して、入力サンプルを獲得する手段と、
前記入力サンプルの第１のサブセットに基づいて、チャネル推定値を導出する手段と、
前記チャネル推定値を用いて、前記入力サンプルの第２のサブセットに対してデータ復調を実行して、前記ＵＥによって送信された前記データに対する検出されたシンボルを獲得する手段とを備える請求項３４記載の装置。
【請求項３６】
前記少なくとも１つの基準信号を受信する手段が、前記基本シーケンスの単一の循環シフトを使用して、前記ＵＥによって送信された単一の基準信号を受信する手段を備え、前記データを受信する手段が、前記基本シーケンスの複数の循環シフトを使用して、前記ＵＥによって送信された複数のデータ変調シンボルを受信する手段を備える請求項３４記載の装置。
【請求項３７】
前記少なくとも１つの基準信号を受信する手段が、前記基本シーケンスの複数の循環シフトを使用して、前記ＵＥによって送信された複数の基準信号を受信する手段を備え、前記ＵＥの送信アンテナ毎に１つの基準信号であり、各基準信号が、前記基本シーケンスの異なる循環シフトを使用して送信され、
前記装置が、前記送信アンテナから送信された前記基準信号に基づいて、前記ＵＥの送信アンテナ毎にチャネル推定値を導出する手段をさらに具備する請求項３４記載の装置。
【請求項３８】
送信のために前記ＵＥに割り当てられた前記シンボル期間における前記副搬送波の組を決定する手段と、
前記ＵＥに割り当てられた循環シフトの第１の組を決定する手段と、
第２のＵＥに割り当てられた循環シフトの第２の組を決定する手段であって、前記ＵＥおよび前記第２のＵＥには共に、前記シンボル期間における前記副搬送波の組が割り当てられ、前記第１および第２の組が、前記シンボル期間における前記割り当てられた副搬送波の組で利用可能な、すべての循環シフトの異なるサブセットを含む、決定する手段と、
循環シフトの前記第１の組を使用して、前記ＵＥによって送信された前記少なくとも１つの基準信号と前記データとを受信する手段と、
循環シフトの前記第２の組を使用して、前記第２のＵＥによって送信された少なくとも１つの基準信号のみを、または少なくとも１つの基準信号とデータとを受信する手段とをさらに具備する請求項３４記載の装置。
【請求項３９】
ワイヤレス通信のための装置において、
基本シーケンスの少なくとも１つの循環シフトを使用して、シンボル期間における副搬送波の組上で、ユーザ機器（ＵＥ）によって送信された少なくとも１つの基準信号を受信するようにと、
前記基本シーケンスの少なくとも１つの他の循環シフトを使用して、前記シンボル期間における前記副搬送波の組上で、前記ＵＥによって送信されたデータを受信するように構成されている少なくとも１つのプロセッサを具備する装置。
【請求項４０】
前記少なくとも１つのプロセッサは、さらに、
前記シンボル期間における受信サンプルを周波数領域に変換して、受信シンボルを獲得するようにと、
送信のために割り当てられた前記シンボル期間における前記副搬送波の組に対する受信シンボルを抽出するようにと、
前記抽出されたシンボルに前記基本シーケンスから導出されたシンボルを乗算して、入力シンボルを獲得するようにと、
前記入力シンボルを時間領域に変換して、入力サンプルを獲得するようにと、
前記入力サンプルの第１のサブセットに基づいて、チャネル推定値を導出するようにと、
前記チャネル推定値を用いて、前記入力サンプルの第２のサブセットに対してデータ復調を実行して、前記ＵＥによって送信された前記データに対する検出されたシンボルを獲得するように構成されている請求項３９記載の装置。
【請求項４１】
前記少なくとも１つのプロセッサは、さらに、前記基本シーケンスの単一の循環シフトを使用して、前記ＵＥによって送信された単一の基準信号を受信し、前記基本シーケンスの複数の循環シフトを使用して、前記ＵＥによって送信された複数のデータ変調シンボルを受信するように構成されている請求項３９記載の装置。
【請求項４２】
前記少なくとも１つのプロセッサは、さらに、前記基本シーケンスの複数の循環シフトを使用して、前記ＵＥによって送信された複数の基準信号を受信するように構成され、前記ＵＥの送信アンテナ毎に１つの基準信号であり、各基準信号が、前記基本シーケンスの異なる循環シフトを使用して送信され、前記送信アンテナから送信された前記基準信号に基づいて、前記ＵＥの送信アンテナ毎にチャネル推定値を導出するように構成されている請求項３９記載の装置。
【請求項４３】
前記少なくとも１つのプロセッサは、さらに、
前記ＵＥに割り当てられた循環シフトの第１の組を決定するようにと、
第２のＵＥに割り当てられた循環シフトの第２の組を決定し、前記ＵＥおよび前記第２のＵＥには共に、前記シンボル期間における前記副搬送波の組が割り当てられ、前記第１および第２の組が、前記割り当てられたシンボル期間における前記副搬送波の組で利用可能な、すべての循環シフトの異なるサブセットを含むようにと、
循環シフトの前記第１の組を使用して、前記ＵＥによって送信された前記少なくとも１つの基準信号と前記データとを受信するようにと、
循環シフトの前記第２の組を使用して、前記第２のＵＥによって送信された少なくとも１つの基準信号のみを、または少なくとも１つの基準信号およびデータの両方を受信するように構成されている請求項３９記載の装置。
【請求項４４】
前記少なくとも１つのプロセッサは、さらに、前記少なくとも１つの基準信号に対して使用する前記少なくとも１つの循環シフト、または、前記データに対して使用する前記少なくとも１つの他の循環シフト、または両方を示すシグナリングをＵＥに送信するように構成されている請求項３９記載の装置。
【請求項４５】
コンピュータプログラムにおいて、
少なくとも１つのコンピュータに、基本シーケンスの少なくとも１つの循環シフトを使用して、シンボル期間における副搬送波の組上で、ユーザ機器（ＵＥ）によって送信された少なくとも１つの基準信号を受信させるためのコードと、
少なくとも１つのコンピュータに、前記基本シーケンスの少なくとも１つの他の循環シフトを使用して、前記シンボル期間における前記副搬送波の組上で、前記ＵＥによって送信されたデータを受信させるためのコードとを含むコンピュータプログラム。
【手続補正２】
【補正対象書類名】明細書
【補正対象項目名】００８７
【補正方法】変更
【補正の内容】
【００８７】
本開示のこれまでの説明は、当業者が開示されたものを作成または使用することを可能にするために提供されている。本開示に対する様々な変更が当業者には容易に明らかになり、本明細書で定義された一般的な原理は、本開示の主旨および範囲から逸脱することなく、他の変形にも適用することができる。したがって、本開示は、本明細書で説明された例および設計に限定することを意図しておらず、本明細書で開示された原理および新規な特徴と一致する最も広い範囲が与えられることを意図している。
以下の記載は、出願当初の特許請求の範囲の記載に一致するものである。
［１］  ワイヤレス通信のための方法において、
基本シーケンスの少なくとも１つの循環シフトを使用して、割り当てられたリソース上で、少なくとも１つの基準信号を送信することと、
前記基本シーケンスの少なくとも１つの他の循環シフトを使用して、前記割り当てられたリソース上で、データを送信することとを含む方法。
［２］  送信のためにユーザ機器（ＵＥ）に割り当てられた１組の副搬送波を決定することであって、前記割り当てられたリソースが、シンボル期間において前記１組の副搬送波に対応する、決定することをさらに含む［１］記載の方法。
［３］  前記少なくとも１つの基準信号を送信することと前記データを送信することが、
前記少なくとも１つの基準信号と前記データとに対する変調シンボルを変換して、周波数領域シンボルを獲得することと、
前記基本シーケンスに対する参照シンボルに前記周波数領域シンボルを乗算して、変調されたシンボルを獲得することと、
前記変調されたシンボルを、送信のために割り当てられた前記１組の副搬送波にマッピングすることと、
送信前記マッピングされたシンボルを変換して、前記シンボル期間中の送信のための時間領域出力サンプルを獲得することとを含む［２］記載の方法。
［４］  前記少なくとも１つの基準信号を送信することが、前記基本シーケンスの少なくとも１つの循環シフトの各々を、基準信号に対する既知の変調シンボルにより変調することを含み、前記データ送信することが、前記基本シーケンスの少なくとも１つの他の循環シフトの各々を、データ変調シンボルにより変調することを含む［１］記載の方法。
［５］  前記少なくとも１つの基準信号を送信することが、前記基本シーケンスの単一の循環シフトを使用して、単一の基準信号を送信することを含み、前記データ送信することが、前記基本シーケンスの複数の循環シフトを使用して、複数のデータ変調シンボルを送信することを含む［１］記載の方法。
［６］  前記少なくとも１つの基準信号を送信することが、前記基本シーケンスの複数の循環シフトを使用して、複数の基準信号を送信することを含み、送信アンテナ毎に１つの基準信号であり、各基準信号が、前記基本シーケンスの異なる循環シフトを使用して送信される［１］記載の方法。
［７］  前記ＵＥに割り当てられた１組の循環シフトを決定することであって、前記１組の循環シフトが、送信のために割り当てられた前記１組の副搬送波で利用可能な、すべての循環シフトのサブセットを含み、残りの利用可能な循環シフトの少なくともサブセットが、少なくとも１つの他のＵＥに割り当てられる、決定することと、
前記ＵＥに割り当てられた前記１組の循環シフトから、前記少なくとも１つの基準信号に対する前記少なくとも１つの循環シフトと前記データに対する前記少なくとも１つの他の循環シフトとを決定することとをさらに含む［２］記載の方法。
［８］  前記少なくとも１つの基準信号に対する前記少なくとも１つの循環シフトが、少なくとも１つのガード領域によって、前記データに対する前記少なくとも１つの他の循環シフトから分離され、各ガード領域が、１つ以上の循環シフトを含む［１］記載の方法。
［９］  前記複数の基準信号に対する前記複数の循環シフトが、１つ以上の循環シフトによって、互いに分離される［６］記載の方法。
［１０］  前記少なくとも１つの基準信号に対して使用される前記少なくとも１つの循環シフトにより高い利得を適用して、データに対して使用される各循環シフトに関して、基準信号に対して使用される各循環シフトに対してより高い送信電力を獲得することをさらに含む［１］記載の方法。
［１１］  前記少なくとも１つの基準信号に対して使用する前記少なくとも１つの循環シフト、または前記データに対して使用する前記少なくとも１つの他の循環シフト、または両方を示すシグナリングを受信することをさらに含む［１］記載の方法。
［１２］  前記基本シーケンスが、ＣＡＺＡＣ（一定振幅ゼロ自己相関）シーケンスを含む［１］記載の方法。
［１３］  前記基本シーケンスが、ザドフ−チューシーケンスを含む［１］記載の方法。
［１４］  ワイヤレス通信のための装置において、
基本シーケンスの少なくとも１つの循環シフトを使用して、割り当てられたリソース上で、少なくとも１つの基準信号を送信する手段と、
前記基本シーケンスの少なくとも１つの他の循環シフトを使用して、前記割り当てられたリソース上で、データを送信する手段とを具備する装置。
［１５］  前記少なくとも１つの基準信号を送信する手段と前記データを送信する手段が、
前記少なくとも１つの基準信号と前記データとに対する変調シンボルを変換して、周波数領域シンボルを獲得する手段と、
前記基本シーケンスに対する参照シンボルに前記周波数領域シンボルを乗算して、変調されたシンボルを獲得する手段と、
前記変調されたシンボルを、送信のために割り当てられた前記１組の副搬送波にマッピングする手段であって、前記割り当てられたリソースが、シンボル期間において前記１組の副搬送波に対応する、マッピングする手段と、
送信前記マッピングされたシンボルを変換して、前記シンボル期間中の送信のための時間領域出力サンプルを獲得する手段とを備える［１４］記載の装置。
［１６］  前記少なくとも１つの基準信号を送信する手段が、前記基本シーケンスの少なくとも１つの循環シフトの各々を、基準信号に対する既知の変調シンボルにより変調する手段を備え、前記データ送信する手段が、前記基本シーケンスの少なくとも１つの他の循環シフトの各々を、データ変調シンボルにより変調する手段を備える［１４］記載の装置。
［１７］  前記少なくとも１つの基準信号を送信する手段が、前記基本シーケンスの単一の循環シフトを使用して、単一の基準信号を送信する手段を備え、前記データ送信する手段が、前記基本シーケンスの複数の循環シフトを使用して、複数のデータ変調シンボルを送信する手段を備える［１４］記載の装置。
［１８］  前記少なくとも１つの基準信号を送信する手段が、前記基本シーケンスの複数の循環シフトを使用して、複数の基準信号を送信する手段を備え、送信アンテナ毎に１つの基準信号であり、各基準信号が、前記基本シーケンスの異なる循環シフトを使用して送信される［１４］記載の装置。
［１９］  送信のためにユーザ機器（ＵＥ）に割り当てられた１組の副搬送波を決定する手段であって、前記割り当てられたリソースが、シンボル期間において前記１組の副搬送波に対応する、決定する手段と、
前記ＵＥに割り当てられた１組の循環シフトを決定する手段であって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定する手段と、
前記ＵＥに割り当てられた前記１組の循環シフトから、前記少なくとも１つの基準信号に対する前記少なくとも１つの循環シフトと前記データに対する前記少なくとも１つの他の循環シフトとを決定する手段とをさらに具備する［１４］記載の装置。
［２０］  ワイヤレス通信のための装置において、
基本シーケンスの少なくとも１つの循環シフトを使用して、割り当てられたリソース上で、少なくとも１つの基準信号を送信し、前記基本シーケンスの少なくとも１つの他の循環シフトを使用して、前記割り当てられたリソース上で、データを送信するように構成されている少なくとも１つのプロセッサを具備する装置。
［２１］  前記少なくとも１つのプロセッサが、
前記少なくとも１つの基準信号と前記データとに対する変調シンボルを変換して、周波数領域シンボルを獲得することと、
前記基本シーケンスに対する参照シンボルに前記周波数領域シンボルを乗算して、変調されたシンボルを獲得することと、
前記変調されたシンボルを、送信のために割り当てられた前記１組の副搬送波にマッピングすることであって、前記割り当てられたリソースが、シンボル期間において前記１組の副搬送波に対応する、マッピングすることと、
送信前記マッピングされたシンボルを変換して、前記シンボル期間中の送信のための時間領域出力サンプルを獲得することとを実行するように構成されている［２０］記載の装置。
［２２］  前記少なくとも１つのプロセッサが、前記基本シーケンスの少なくとも１つの循環シフトの各々を、基準信号に対する既知の変調シンボルにより変調し、前記基本シーケンスの少なくとも１つの他の循環シフトの各々を、データ変調シンボルにより変調するように構成されている［２０］記載の装置。
［２３］  前記少なくとも１つのプロセッサが、前記基本シーケンスの単一の循環シフトを使用して、単一の基準信号を送信し、前記基本シーケンスの複数の循環シフトを使用して、複数のデータ変調シンボルを送信するように構成されている［２０］記載の装置。
［２４］  前記少なくとも１つのプロセッサが、前記基本シーケンスの複数の循環シフトを使用して、複数の基準信号を送信し、送信アンテナ毎に１つの基準信号であり、各基準信号が、前記基本シーケンスの異なる循環シフトを使用して送信されるように構成されている［２０］記載の装置。
［２５］  前記少なくとも１つのプロセッサが、送信のためにユーザ機器（ＵＥ）に割り当てられた１組の副搬送波を決定することあって、前記割り当てられたリソースが、シンボル期間において前記１組の副搬送波に対応する、決定することと、前記ＵＥに割り当てられた１組の循環シフトを決定することであって、前記１組の循環シフトが、前記１組の副搬送波で利用可能な、すべての循環シフトのサブセットを含み、残りの利用可能な循環シフトの少なくともサブセットが、少なくとも１つの他のＵＥに割り当てられる、決定することと、前記ＵＥに割り当てられた前記１組の循環シフトから、前記少なくとも１つの基準信号に対する前記少なくとも１つの循環シフトと前記データに対する前記少なくとも１つの他の循環シフトを決定することとを実行するように構成されている［２０］記載の装置。
［２６］  コンピュータプログラム製品において、
少なくとも１つのコンピュータに、基本シーケンスの少なくとも１つの循環シフトを使用して、割り当てられたリソース上で、少なくとも１つの基準信号を送信させるためのコードと、
前記少なくとも１つのコンピュータに、前記基本シーケンスの少なくとも１つの他の循環シフトを使用して、前記割り当てられたリソース上で、データを送信させるためのコードとを含むコンピュータ読取可能媒体を具備するコンピュータプログラム製品。
［２７］  ワイヤレス通信のための方法において、
基本シーケンスの少なくとも１つの循環シフトを使用して、割り当てられたリソース上で、ユーザ機器（ＵＥ）によって送信された少なくとも１つの基準信号を受信することと、
前記基本シーケンスの少なくとも１つの他の循環シフトを使用して、前記割り当てられたリソース上で、前記ＵＥによって送信されたデータを受信することとを含む方法。
［２８］  送信のために前記ＵＥに割り当てられた１組の副搬送波を決定することであって、前記割り当てられたリソースが、シンボル期間において前記１組の副搬送波に対応する、決定することをさらに含む［２７］記載の装置。
［２９］  前記少なくとも１つの基準信号を受信することと前記データを受信することが、
前記シンボル期間中の受信サンプルを周波数領域に変換して、受信シンボルを獲得することと、
送信のために割り当てられた前記１組の副搬送波に対する受信シンボルを抽出することと、
前記抽出されたシンボルに前記基本シーケンスから導出されたシンボルを乗算して、入力シンボルを獲得することと、
前記入力シンボルを時間領域に変換して、入力サンプルを獲得することと、
前記入力サンプルの第１のサブセットに基づいて、チャネル推定値を導出することと、
前記チャネル推定値を用いて、前記入力サンプルの第２のサブセットに対してデータ復調を実行して、前記ＵＥによって送信された前記データに対する検出されたシンボルを獲得することとを含む［２８］記載の装置。
［３０］  前記少なくとも１つの基準信号を受信することが、前記基本シーケンスの単一の循環シフトを使用して、前記ＵＥによって送信された単一の基準信号を受信することを含み、前記データを受信することが、前記基本シーケンスの複数の循環シフトを使用して、前記ＵＥによって送信された複数のデータ変調シンボルを受信することを含む［２７］記載の方法。
［３１］  前記少なくとも１つの基準信号を受信することが、前記基本シーケンスの複数の循環シフトを使用して、前記ＵＥによって送信された複数の基準信号を受信し、前記ＵＥの送信アンテナ毎に１つの基準信号であり、各基準信号が、前記基本シーケンスの異なる循環シフトを使用して送信されることを含み、
前記方法が、前記送信アンテナから送信された前記基準信号に基づいて、前記ＵＥの送信アンテナ毎にチャネル推定値を導出することをさらに含む［２７］記載の方法。
［３２］  前記ＵＥに割り当てられた循環シフトの第１の組を決定することと、
第２のＵＥに割り当てられた循環シフトの第２の組を決定することであって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを含む、決定することと、
循環シフトの前記第１の組を使用して、前記ＵＥによって送信された前記少なくとも１つの基準信号および前記データを受信することと、
循環シフトの前記第２の組を使用して、前記第２のＵＥによって送信された少なくとも１つの基準信号のみを、または少なくとも１つの基準信号およびデータの両方を受信することとをさらに含む［２８］記載の方法。
［３３］  前記少なくとも１つの基準信号に対して使用する前記少なくとも１つの循環シフト、または、前記データに対して使用する前記少なくとも１つの他の循環シフト、または、両方を示すシグナリングをＵＥに送信することをさらに含む［２７］記載の方法。
［３４］  ワイヤレス通信のための装置において、
基本シーケンスの少なくとも１つの循環シフトを使用して、割り当てられたリソース上で、ユーザ機器（ＵＥ）によって送信された少なくとも１つの基準信号を受信する手段と、
前記基本シーケンスの少なくとも１つの他の循環シフトを使用して、前記割り当てられたリソース上で、前記ＵＥによって送信されたデータを受信する手段とを具備する装置。
［３５］  前記少なくとも１つの基準信号を受信する手段と前記データを受信する手段が、
シンボル期間中の受信サンプルを周波数領域に変換して、受信シンボルを獲得する手段と、
送信のために前記ＵＥに割り当てられた１組の副搬送波に対する受信シンボルを抽出する手段であって、前記割り当てられたリソースが、前記シンボル期間において前記１組の副搬送波に対応する、抽出する手段と、
前記抽出されたシンボルに前記基本シーケンスから導出されたシンボルを乗算して、入力シンボルを獲得する手段と、
前記入力シンボルを時間領域に変換して、入力サンプルを獲得する手段と、
前記入力サンプルの第１のサブセットに基づいて、チャネル推定値を導出する手段と、
前記チャネル推定値を用いて、前記入力サンプルの第２のサブセットに対してデータ復調を実行して、前記ＵＥによって送信された前記データに対する検出されたシンボルを獲得する手段とを備える［３４］記載の装置。
［３６］  前記少なくとも１つの基準信号を受信する手段が、前記基本シーケンスの単一の循環シフトを使用して、前記ＵＥによって送信された単一の基準信号を受信する手段を備え、前記データを受信する手段が、前記基本シーケンスの複数の循環シフトを使用して、前記ＵＥによって送信された複数のデータ変調シンボルを受信する手段を備える［３４］記載の装置。
［３７］  前記少なくとも１つの基準信号を受信する手段が、前記基本シーケンスの複数の循環シフトを使用して、前記ＵＥの送信アンテナ毎に１つの基準信号となる、前記ＵＥによって送信された複数の基準信号を受信する手段であって、各基準信号が、前記基本シーケンスの異なる循環シフトを使用して送信される、受信する手段を備え、
前記装置が、前記送信アンテナから送信された前記基準信号に基づいて、前記ＵＥの送信アンテナ毎にチャネル推定値を導出する手段をさらに具備する［３４］記載の装置。
［３８］  送信のために前記ＵＥに割り当てられた１組の副搬送波を決定する手段であって、前記割り当てられたリソースが、シンボル期間において前記１組の副搬送波に対応する、決定する手段と、
前記ＵＥに割り当てられた循環シフトの第１の組を決定する手段と、
第２のＵＥに割り当てられた循環シフトの第２の組を決定する手段であって、前記ＵＥおよび前記第２のＵＥには共に、前記１組の副搬送波が割り当てられ、前記第１および第２の組が、前記割り当てられた１組の副搬送波で利用可能な、すべての循環シフトの異なるサブセットを備える、決定する手段と、
循環シフトの前記第１の組を使用して、前記ＵＥによって送信された前記少なくとも１つの基準信号および前記データを受信する手段と、
循環シフトの前記第２の組を使用して、前記第２のＵＥによって送信された少なくとも１つの基準信号のみを、または少なくとも１つの基準信号およびデータを受信する手段とをさらに具備する［３４］記載の装置。
【外国語明細書】
2016103838000001.pdf